(57)【要約】  本発明は、新規の化合物、特に、アンモニウム−ポリウレタンおよび／またはポリカーボネート化合物、特に、アンモニウム−ポリウレタン−ポリジオルガノシロキサンおよび／またはポリカーボネート−ポリジオルガノシロキサン化合物、それらの製造方法、ならびにそれらの使用に関する。【特許請求の範囲】
【請求項１】
の式（１）：
【化１】
2011518894.tif 000062
（式中、
Ｒはそれぞれ、水素およびアルキルからなる群より選択され、
Ｒ1はそれぞれ、水素およびアルキルからなる群より選択され、
Ｒ2はそれぞれ、水素およびアルキルからなる群より選択され、
ＳＴ1は、二価または多価の、直鎖、環状、または分岐の、飽和、不飽和、または芳香族の、置換または非置換の、１０００個までの炭素原子を有する炭化水素残基であり、これには、以下から選択される１つまたは複数の基が含まれ得：
−Ｏ−、
−Ｃ（Ｏ）−、
−ＮＨ−、
−ＮＲ3−、（式中、Ｒ3は、以下のように定義される）、および
２個〜１０００個のケイ素原子を有するポリオルガノシロキサン単位、
Ｙは、互いに独立して、−Ｏ−、−Ｓ−、および−ＮＲ6−から選択され、
（式中、
Ｒ6は、水素、あるいは、直鎖、環状、または分岐の、飽和、不飽和、または芳香族の、４０個までの炭素原子を有する炭化水素残基であり、これには、−Ｏ−、−Ｃ（Ｏ）−、−ＮＨ−、および−ＮＲ3−から選択される１つまたは複数の基が含まれ得、（式中、Ｒ3は以下のように定義される）、または２つの残基Ｒ6が一緒に、ＳＴ1とともに環状構造を形成しつつ、１つのアルキレン残基を形成するか、または、１つまたは複数の残基Ｒ6が、ＳＴ1とともに１つまたは複数の環状構造を形成しつつ、ＳＴ1への結合を呈する）、
ＳＴ2は、二価または多価の、直鎖、環状、または分岐の、飽和、不飽和、または芳香族の、置換または非置換の、１０００個までの炭素原子を有する炭化水素残基であり、これには、以下から選択される１つまたは複数の基が含まれ得：
−Ｏ−、
−Ｃ（Ｏ）−、
−ＮＨ−、
−ＮＲ3−、
【化２】
2011518894.tif 000063
および
２個〜１０００個のケイ素原子を有するポリオルガノシロキサン単位、
（式中、
Ｒ3は、直鎖、環状、または分岐の、飽和、不飽和、または芳香族の、１００個までの炭素原子を有する炭化水素残基であり、これには、−Ｏ−、−Ｃ（Ｏ）−、および−ＮＨ−から選択される１つまたは複数の基が含まれ得、そしてこれは、場合によって、シリル基によって置換され得る）、そして、
Ｒ5は、直鎖、環状、または分岐の、飽和、不飽和、または芳香族の、１００個までの炭素原子を有する炭化水素残基であり、これには、−Ｏ−、−Ｃ（Ｏ）−、および−ＮＨ−から選択される１つまたは複数の基が含まれ得、そしてこれは、場合によって、シリル基によって置換され得、または、
２つの残基Ｒ5がアルキレン残基を形成し、または
残基Ｒ5の１つまたは複数が、環状構造を形成しつつ、残基ＳＴ2への結合を形成し、
ＳＴ3は、二価または多価の、直鎖、環状、または分岐の、飽和、不飽和、または芳香族の、置換または非置換の、３０個までの炭素原子を有する炭化水素残基であり、これには、以下から選択される１つまたは複数の基が含まれ得：
−Ｏ−、
−Ｃ（Ｏ）−、
Ａ-は、有機または無機陰イオンである）、
の構造要素を少なくとも１つ含む化合物。
【請求項２】
前記残基Ｒ、Ｒ1、およびＲ2の少なくとも１つが水素である請求項１記載の化合物。
【請求項３】
前記残基Ｒ、Ｒ1、およびＲ2が水素である請求項２記載の化合物。
【請求項４】
少なくとも１つのポリジオルガノシロキサン単位を含む請求項１〜３のいずれか１項に記載の化合物。
【請求項５】
式（１）の構造要素を２個以上含むことを特徴とする請求項２記載の化合物。
【請求項６】
２つ以上のポリジオルガノシロキサン単位を含む請求項１〜３のいずれか１項に記載の化合物。
【請求項７】
請求項１〜６のいずれか１項に記載の直鎖の化合物。
【請求項８】
ＳＴ1、ＳＴ2、およびＳＴ3がそれぞれ２価の残基である請求項１〜７のいずれか１項に記載の化合物。
【請求項９】
請求項１〜６のいずれか１項に記載の分岐化合物。
【請求項１０】
前記分岐が前記残基ＳＴ1またはＳＴ2の少なくとも１つを介して起こる請求項９記載の分岐化合物。
【請求項１１】
式（４）の少なくとも１つのポリオルガノシロキサン残基：
【化３】
2011518894.tif 000064
（式中、
Ｒ4は、直鎖、環状、または分岐の、飽和、不飽和、または芳香族の、２０個までの炭素原子を有する炭化水素残基であり、そして／またはＲ4はアルコキシ残基であり、そのアルキル部分は、直鎖、環状、または分岐の、２０個までの炭素原子を有する飽和アルキル残基であり、これには１つまたは複数の酸素原子が含まれ得、
ｓ＝１〜９９９である、
を含む請求項１〜１０のいずれか１項に記載の化合物。
【請求項１２】
Ｙ＝−ＮＲ6−である（式中、Ｒ6は先に定義したとおりである）請求項１〜１１のいずれか１項に記載の化合物。
【請求項１３】
Ｙ＝−ＮＨ−である請求項１〜１２のいずれか１項に記載の化合物。
【請求項１４】
１つまたは複数のポリエーテル基を含むことを特徴とする請求項１〜１３のいずれか１項に記載の化合物。
【請求項１５】
ＳＴ1≠ＳＴ2である請求項１〜１４のいずれか１項に記載の化合物。
【請求項１６】
ＳＴ1および／またはＳＴ2が以下の式：
【化４】
2011518894.tif 000065
（式中、ｓは先に定義したとおりであり、
ｒ＝１〜１２である）、
の構造要素を含むことを特徴とする請求項１〜１５のいずれか１項に記載の化合物。
【請求項１７】
Ｒ、Ｒ1、および
Ｒ2＝水素であり、
ＳＴ1＝直鎖または環状または分岐の、飽和または不飽和または芳香族の、２個から２００個の炭素原子を有する炭化水素残基であり、場合によって、−Ｏ−、−Ｃ（Ｏ）−、および／または２個〜２００個のケイ素原子を有するポリジオルガノシロキサン単位が含まれ得、
ＳＴ2＝直鎖または環状または分岐の、飽和または不飽和または芳香族の、２個〜２００個の炭素原子を有する炭化水素残基であり、これには、−Ｏ−、−Ｃ（Ｏ）−、−ＮＨ−、−ＮＲ3−、および場合によって２個〜２００個のケイ素原子を有するポリジオルガノシロキサン単位が含まれ得、（式中、
Ｒ3＝直鎖または環状または分岐の、飽和または不飽和または芳香族の、１０個までの炭素原子を有する炭化水素残基であり、これには、−Ｏ−、−Ｃ（Ｏ）−、および−ＮＨ−が含まれ得る）、
ＳＴ3＝２価の直鎖の、置換または非置換の、２０個までの炭素原子を有する炭化水素残基であり、−Ｏ−および−Ｃ（Ｏ）−から選択される１つまたは複数の基が含まれ、
Ｙ＝−ＮＲ6−であり、（式中、
Ｒ6＝水素、あるいは、直鎖、環状、または分岐の、飽和、不飽和、または芳香族の、１０個までの炭素原子を有する炭化水素残基であり、これには、−Ｏ−、−Ｃ（Ｏ）−、−ＮＨ−、および−ＮＲ3−から選択される１つまたは複数の基が含まれ得、（式中、Ｒ3は先に定義したとおりである））、
Ｒ5＝直鎖または環状または分岐の、飽和または不飽和または芳香族の、２５個までの炭素原子を有する炭化水素残基であり、−Ｏ−、−Ｃ（Ｏ）−、−ＮＨ−が含まれ得、または、
２つの残基Ｒ5がアルキレン残基を形成し、または
残基Ｒ5の１つまたは複数が、環状構造を形成しつつ、残基ＳＴ2への結合を形成し、
Ａ-＝ハロゲン化物のような無機陰イオン、カルボン酸塩、アルキル硫酸塩、スルホン酸塩のような有機陰イオンであり、
ただし、構造要素ＳＴ1およびＳＴ2の少なくとも１つにポリジオルガノシロキサン単位が含まれる
請求項１〜１６のいずれか１項に記載の化合物。
【請求項１８】
Ｒ、Ｒ1、およびＲ2＝水素であり、
ＳＴ1＝直鎖または環状または分岐の、飽和または不飽和または芳香族の、２個〜１００個の炭素原子を有する炭化水素残基であり、これには場合によって、−Ｏ−、−Ｃ（Ｏ）−、および／または２個〜１００個のケイ素原子を有するポリジオルガノシロキサン単位が含まれ得、
ＳＴ2＝直鎖または環状または分岐の、飽和または不飽和または芳香族の、２個〜１００個の炭素原子を有する炭化水素残基であり、これには、−Ｏ−、−Ｃ（Ｏ）−、−ＮＨ−、−ＮＲ3−、および場合によって２個〜１００個のケイ素原子を有するポリジオルガノシロキサン単位が含まれ得、（式中、
Ｒ3＝直鎖または環状または分岐の、飽和または不飽和または芳香族の、７個までの炭素原子を有する炭化水素残基である）、−Ｏ−、−Ｃ（Ｏ）−、および−ＮＨ−が含まれ得、
ＳＴ3＝２価の直鎖の、１０個までの炭素原子を有する炭化水素残基であり、これには、−Ｏ−および−Ｃ（Ｏ）−から選択される１つまたは複数の基が含まれ、
Ｙ＝−ＮＲ6−であり、（式中、
Ｒ6＝水素、あるいは、直鎖、環状、または分岐の、飽和、不飽和、または芳香族の、７個までの炭素原子を有する炭化水素残基であり、−Ｏ−、−Ｃ（Ｏ）−、−ＮＨ−、および−ＮＲ3−から選択される１つまたは複数の基が含まれ得、（式中、Ｒ3は先に定義したとおりである））、
Ｒ5＝直鎖または環状または分岐の、飽和または不飽和または芳香族の、６個までの炭素原子を有する炭化水素残基であり、−Ｏ−、−Ｃ（Ｏ）−、−ＮＨ−が含まれ得、または、
２つの残基Ｒ5がＣ２−〜Ｃ３−アルキレン残基を形成し、または
残基Ｒ5の１つまたは複数が、環状構造を形成しつつ、残基ＳＴ2への結合を形成し、
Ａ-＝ハロゲン化物、特に、塩化物のような無機陰イオン、カルボン酸塩、特に、Ｃ２−〜Ｃ１８−カルボン酸塩、アルキルポリエーテルカルボン酸塩、アルキル硫酸塩、特に、メトサルフェート、スルホン酸塩、特に、アルキルスルホン酸塩、およびアルキルアリールスルホン酸塩、特に、トルイルスルホン酸塩のような有機陰イオンである
請求項１〜１７のいずれか１項に記載の化合物。
【請求項１９】
構造要素ＳＴ1およびＳＴ2の少なくとも１０ｍｏｌ−％に、ポリジオルガノシロキサン単位が含まれる請求項１〜１８のいずれか１項に記載の化合物。
【請求項２０】
式（５）：
【化５】
2011518894.tif 000066
（式中、Ｒ、Ｒ1、Ｒ2、およびＳＴ3は先に定義したとおりであり、Ｘは脱離基である）、
の化合物を式（２）：
【化６】
2011518894.tif 000067
（式中、ＳＴ2およびＲ5は先に定義したとおりであり、ｐ＝２または３である）、の化合物と反応させ、同時にまたは続いて、式（３）：
【化７】
2011518894.tif 000068
（式中、ＳＴ1は先に定義したとおりであり、ｑ＝２〜１０である）、
の化合物と反応させる工程を含む請求項１〜１９のいずれか１項に記載の化合物を調製するための方法。
【請求項２１】
Ｙ＝ＮＲ6であり、（式中、Ｒ6は先に定義したとおりであり、好ましくは、水素である）請求項２０記載の方法。
【請求項２２】
Ｘがハロゲンである請求項２０または２１記載の方法。
【請求項２３】
コーティング剤、表面改質のための薬剤、エラストマー、熱硬化性樹脂（duromer）、接着剤、金属もしくはプラスチック表面用のプライマー、高分子添加剤、洗濯洗剤添加剤、流動剤、化粧品（cosmetic agent）、繊維改質剤の製造のためのものである請求項１〜１９のいずれか１項に記載の化合物の使用。
【請求項２４】
例えば、硝子、セラミック、タイル、コンクリート、ならびに車体および船の船体のようなスチール部品などの、堅い表面の表面改質のためのコーティング剤または薬剤の製造における請求項２３記載の使用。
【請求項２５】
シリコーンエラストマーを、スチール、アルミニウム、硝子、ならびにエポキシ樹脂、ポリアミド、ポリフェニレンスルフィド、ポリテレフタレートのようなポリエステルなどのプラスチックなどの他の基体に接着させるためのプライマーの製造における請求項２３記載の使用。
【請求項２６】
ポリオレフィン、ポリアミド、ポリウレタン、ポリ（メタ）アクリレート、ポリカーボネートのような熱可塑性の合成物質用の改質剤の製造における請求項２３記載の使用。
【請求項２７】
前記改質剤が低温耐衝撃性改質剤である請求項２６記載の使用。
【請求項２８】
前記改質剤が、粘性調節剤、帯電防止剤、防曇剤、エラストマーを形成するように過酸化物によって架橋することができ、またはヒドロシリル化（白金触媒）によって架橋することもできるシリコーンゴム用の混合成分、洗浄前、洗浄の間、および洗浄後の織物繊維の処理のための織物繊維用の柔軟剤、毛髪、綿繊維、ならびにポリエステル繊維およびポリアミド繊維のような合成繊維、ならびに交織織物のような天然および合成の繊維を改質するための薬剤、織物の仕上げ剤、ならびに、洗濯洗剤および洗浄剤のような洗剤を含む配合物用の柔軟剤から選択される請求項２６記載の使用。
【請求項２９】
請求項１〜１９のいずれか１項に記載のポリカーボネート−ポリオルガノシロキサンおよび／またはポリウレタン−ポリオルガノシロキサン化合物の、
−  特に、洗濯洗剤、織物のケア用製品、織物の仕上げ剤における、織物用の柔軟剤としての、
−  洗濯洗剤、織物のケア用製品、織物の仕上げ剤における柔軟剤成分としての、
−  ポリオレフィン、ポリアミド、ポリウレタン、ポリ（メタ）アクリレート、ポリカーボネート、ポリエステルのような熱可塑性の合成物質用の改質剤のような高分子添加剤としての、
−  例えば、硝子、セラミック、タイル、コンクリート、ならびに車体および船の船体のようなスチール部品のなどの堅い表面の改質のような表面改質のための薬剤としての、
−  接着剤としての、
−  シリコーンエラストマーを、スチール、アルミニウム、硝子、エポキシ樹脂、ポリアミド、ポリフェニレンスルフィド、ポリテレフタレートのようなポリエステルなどのプラスチックなどの他の基体に接着させるためのプライマーのような、金属およびプラスチック表面用のプライマーとしての、
−  流動剤としての、
−  コーティィング、シーラント、またはエラストマーとしての、
−  乳化剤、コンディショナー、安定剤、増粘剤としてなど、化粧品においての、
−  コンディショナーとしての毛髪用の化粧品配合物においての、
−  改質剤としての、
−  低温耐衝撃性改質剤としての、
−  接着剤およびシーラントにおける構成成分としての、
−  ケーブル用コーティング、チューブ、ガスケット、キーボード・マット、選択的気体透過性膜などの膜の製造のためなどの、熱可塑性エラストマーのようなエラストマーの製造のための出発材料としての、
−  防汚、固着防止コーティング、組織適合性コーティング、難燃性コーティングのようなコーティングとしての、ならびに生体適合性材料のコーティングとしての、
−  樹脂を改質するためまたはビチューメンを改質するための、化粧品、ボディケア製品、塗料添加剤、洗濯洗剤における補助物質、消泡配合物、および織物加工用の配合物のためのコーティング剤としての、
−  電子部品用のパッケージング材料としての、
−  絶縁材または遮蔽材としての、
−  飛行機、船、自動車のような結露水の形成を伴う空洞の中のシーリング材としての、
−  清浄剤、洗剤、またはケア用製品用の添加剤としての、
−  ボディケア製品用の添加剤としての、
−  木材、紙、およびボール紙用のコーティング材としての、
−  離型剤としての、
−  コンタクトレンズのような医学的用途における生体適合性材料としての、
−  織物繊維もしくは織布用のコーティング材としての、
−  例えば、革または毛皮のような天然の生地用のコーティング材としての、
−  膜用の材料としての、および
−  光活性システム用の、例えば、リソグラフィープロセス、光学データ記録、または光学データ伝送用の材料としての、
−  粘性調節剤、帯電防止剤としての、
−  エラストマーを形成するように過酸化物によって架橋することができ、またはヒドロシリル化（白金触媒）によって架橋することもでき、気体、液体の拡散の調節のような表面特性の改変を来たし、そして／または、シリコーンエラストマーの膨張挙動の改変を来たす、シリコーンゴム用の混合成分としての、
−  織物繊維用の柔軟剤としての、
−  陰イオン性界面活性剤、非イオン形成性界面活性剤、および陽イオン性界面活性剤をベースとする配合物での洗浄の前、洗浄の間、および洗浄後の織物繊維の処理のための柔軟剤としての、
−  毛髪、綿繊維、ならびにポリエステル繊維およびポリアミド繊維のような合成繊維、ならびに交織織物のような天然および合成の繊維を改質するための薬剤としての、
−  織物の仕上げ剤における、ならびに
−  洗濯洗剤および洗浄剤のような洗剤含有の配合物における
使用。
【請求項３０】
請求項１〜１９のいずれか１項に記載のポリカーボネート−ポリオルガノシロキサンおよび／またはポリウレタン−ポリオルガノシロキサン化合物の、
−  配合物の全量に対しておよそ０．１重量％〜１０重量％の含有量での、固体または液体の洗濯洗剤配合物においての、
−  配合物の全量に対しておよそ０．１重量％〜５０重量％の含有量での、化粧品配合物および織物のケア用製品のような織物処理用の配合物においての、
−  硝子、セラミック、タイル、プラスチック表面、金属表面、ラッカー表面、特に、船の船体および車体のような堅い表面の処理および仕上げ用の配合物において、特にまた、自動洗車用の乾燥剤配合物においての、
−  好ましくは、シリコーンエラストマーを、スチール、アルミニウム、硝子、エポキシ樹脂、ポリアミドのような他の基体に接着させるための、接着剤またはプライマーとしての、
−  過酸化物に触媒される架橋および白金に触媒される架橋をベースとする炭化水素系ポリマーおよびシリコーン系のエラストマーシステム用の、低温耐衝撃性改質剤および極性改質剤のような改質剤としての、
−  特に織物の形態の、綿、ウール、ポリエステル系およびポリアミド系合成繊維のような、天然および合成の繊維の処理用の配合物においての、
−  洗濯洗剤の構成成分である薬剤、洗浄プロセスの実施中に別に加えることができる薬剤、または洗浄プロセスに続いて加えられる薬剤のような、繊維処理用の薬剤においての、特に、陰イオン性界面活性剤、非イオン性界面活性剤、および陽イオン性界面活性剤を含む洗濯洗剤配合物においての、
−  特に繊維および織物の洗浄後の、特に陽イオン性界面活性剤をベースとする別の柔軟化システムの構成成分としての、
−  織物のしわを防ぎ、またはしわを伸ばすためのアイロン助剤およびアイロン剤としての、
−  例えば、特に、織物の形態の綿、ウール、ポリエステル系およびポリアミド系の合成繊維、紙、ならびに木材の最初の仕上げおよび処理のための、繊維の仕上げ用の配合物においての、
−  毛髪および皮膚の処置用の化粧品システムにおいて、特に、特に様々な粘性を有する液体、クリーム、またはペーストの形態の純物質、溶液、混合物、エマルションまたはマイクロエマルションとしての、
−  毛髪および皮膚の処置用の化粧品システムにおいて、特に、例えば「２−ｉｎ−１」シャンプー、「ボディーシャンプー」、およびヘアコンディショナーのような、洗浄の間および洗浄後または染色の後の処理、あるいは、ブリーチ、巻き毛にする、もしくは直毛にする前の毛髪の処理のための「洗い流す」製品、ならびに、ヘアトニック、ケアクリーム、スタイリングクリーム、ヘアジェル、ヘアスタイリング製品、ヘアセット製品、ヘアスプレー、ポンプスプレー、ブロー仕上げ用組成物、およびブロー乾燥セット用組成物、毛髪染剤、特に、永久的毛髪染剤、半永久的毛髪染剤、および一時的毛髪染剤のような、いわゆる「洗い流さない」製品においての、
−  柔軟剤配合物の構成成分としての、
−  固体担体上にあるランドリーフレッシュナーシステムの構成成分としての
使用。
【請求項３１】
請求項１〜１９のいずれか１項に記載の少なくとも１つのポリカーボネート−ポリオルガノシロキサンおよび／またはポリウレタン−ポリオルガノシロキサン化合物を含む洗濯洗剤配合物、化粧品配合物、または繊維の処理用の配合物。
【請求項３２】
式（５）：
【化８】
2011518894.tif 000069
（式中、Ｒ、Ｒ1、Ｒ2、およびＳＴ3は先に定義したとおりであり、Ｘは脱離基である）、
の少なくとも１つの化合物と、式（２）：
【化９】
2011518894.tif 000070
（式中、ＳＴ2およびＲ5は先に定義したとおりであり、ｐ＝２または３である）、
の少なくとも１つの化合物と、式（３）：
【化１０】
2011518894.tif 000071
（式中、ＳＴ1は先に定義したとおりであり、ｑ＝２〜１０である）、
の少なくとも１つの化合物を含む反応性組成物。
【請求項３３】
Ｙ＝ＮＲ6である、（式中、Ｒ6は先に定義したとおりであり、好ましくは、水素である）請求項３２記載の反応性組成物。
【請求項３４】
請求項３２または３３記載の反応性組成物を硬化させることによって得ることができる硬化組成物。
【請求項３５】
コーティングおよび成形品から選択される請求項３４記載の硬化組成物。
【発明の詳細な説明】
【技術分野】
【０００１】
本発明は、新規の化合物、特に、アンモニウム−ポリウレタン−および／またはポリカーボネート化合物、特に、アンモニウム−ポリウレタン−ポリジオルガノシロキサンおよび／またはポリカーボネート−ポリジオルガノシロキサン化合物、それらの製造方法、ならびにそれらの使用に関する。
【０００２】
第四級アンモニウム構造を含むシロキサンブロックコポリマーは広く知られている。一方では、これらは、シロキサン単位と第四級アンモニウム単位とを含むタイプのジブロックコポリマーであり得る（DE 3340708、EP 282720、US 6,240,929、US 6,730,766）。他方では、シロキサン／第四級アンモニウム／ポリエーテルブロック単位の組み合わせをベースとするトリブロックコポリマーが開発されている（WO 02/10256、WO 02/10257、WO 02/10259、WO 2004/090007、WO 03/078504、WO 2004/041912、WO 2004/042136）。これらのトリブロックコポリマーの最も重要な利点は、それらの構造には柔軟性があり、極めて広範囲に、コンクリート製品の要件に適合させることができることである。
【０００３】
さらに、アミノ基を末端に有するシロキサンを炭化水素系ジイソシアネートと反応させて尿素基を有するジブロックコポリマーを形成することが知られている（US 2006/0036055、およびSilicone, Chemie und Technologie, Vulkan Verlag Essen 1989, pp. 94-96）。類似するウレタン誘導体もまた記載されている（US 2004/0087752）。
【０００４】
尿素基およびウレタン基を含む第四級アンモニウム化合物は、GB 1128642から既知である。アミノまたはヒドロキシを末端に有するシロキサンのジイソシアネートとの反応により、イソシアネートを末端に有する中間段階に至り、これは次いで、例えば、第一級〜第三級のジアミンまたはトリアミンと反応し、その結果、第三級アミノ基は四級化される。例えば、オリゴエチレングリコールを鎖延長剤として使用することができる。しかし、これは、イソシアネート基の消費に起因して、第四級アンモニウム基の量の減少に直接つながる。したがって、この溶液は、広範囲にわたるコンクリート製品の要件に対する柔軟な構造的適合ができない点で不利である。
【０００５】
さらに、炭酸塩官能化シロキサンを第一級および第二級アミノ基またはヒドロキシル基を含む炭化水素と反応させて、ウレタン基を含むシリコーンまたは対応するエーテルにすることが知られている（US 5,672,338、US 5,686,547、DE 195 05 892）。
【０００６】
ウレタン基を含むシロキサン修飾ジ第四級化合物の合成のためのリンカー基としての非対称置換炭酸塩の使用もまた提案されている（WO 2005/058863）。
【０００７】
最後に、アミン塩単位を組み込んだシロキサン単位を含むポリウレタンブロックコポリマーの合成におけるこの非対称置換炭酸塩リンカーの使用もまた記載されている（C.Novi, A.Mourran, H.Keul, M.Moller, Macromol. Chem. Phys. 2006, 207, 273-286）。これらの化合物の欠点は、これらがアミン塩の形態でのみｐＨ感受性電荷を持ち、これが持続性の低下を生じることである。
【０００８】
炭酸塩リンカーをベースとする後者２つの溶液の基本的な欠点は、これらのリンカーの経済的に実行可能な合成がホスゲンによって行われることであり、このことが利用可能性を大いに制限している。
【０００９】
したがって、第四級アンモニウム基とシロキサン単位とを含むブロックコポリマーを提供することが本発明の目的である。これは、一方では、ホスゲンを用いる反応工程を伴う必要なしに炭酸塩の組み込むことをベースとし、そしてここでは、広範囲にわたるコンクリート製品の要件に対して柔軟な構造的適合が可能である。
【００１０】
驚くべきことに、掲げられたこの目的は、第四級アンモニウム基、好ましくは、ポリジオルガノシロキサン単位を含む、ポリウレタンおよび／またはポリカーボネートブロックコポリマーによって達成される。
【００１１】
本発明により、式（１）：
【化１】
2011518894.tif 000002
（式中、
Ｒはそれぞれ、水素およびアルキルからなる群より選択され、
Ｒ1はそれぞれ、水素およびアルキルからなる群より選択され、
Ｒ2はそれぞれ、水素およびアルキルからなる群より選択され、
ＳＴ1は、二価または多価の、直鎖、環状、または分岐の、飽和、不飽和、または芳香族の、置換または非置換の、１０００個までの炭素原子を有する炭化水素残基であり、これには、以下から選択される１つまたは複数の基が含まれ得：
−Ｏ−、
−Ｃ（Ｏ）−、
−ＮＨ−、
−ＮＲ3−（式中、Ｒ3は、以下のように定義される）、および
２個〜１０００個のケイ素原子を有するポリオルガノシロキサン単位、
Ｙは、互いに独立して、−Ｏ−、−Ｓ−、および−ＮＲ6−から選択され、
（式中、
Ｒ6は、水素、あるいは、直鎖、環状、または分岐の、飽和、不飽和、または芳香族の、４０個までの炭素原子を有する炭化水素残基であり、これには、−Ｏ−、−Ｃ（Ｏ）−、−ＮＨ−、および−ＮＲ3−から選択される１つまたは複数の基が含まれ得、（式中、Ｒ3は上記のように定義され、または２つの残基Ｒ6が一緒に、ＳＴ1とともに環状構造を形成しつつ、１つのアルキレン残基を形成し、または、１つまたは複数の残基Ｒ6が、ＳＴ1とともに１つまたは複数の環状構造を形成しつつ、ＳＴ1への結合を呈する）、
ＳＴ2は、二価または多価の、直鎖、環状、または分岐の、飽和、不飽和、または芳香族の、置換または非置換の、１０００個までの炭素原子を有する炭化水素残基であり、これには、以下から選択される１つまたは複数の基が含まれ得：
−Ｏ−、
−Ｃ（Ｏ）−、
−ＮＨ−、
−ＮＲ3−、
【化２】
2011518894.tif 000003
および
２個〜１０００個のケイ素原子を有するポリオルガノシロキサン単位、
（式中、
Ｒ3は、直鎖、環状、または分岐の、飽和、不飽和、または芳香族の、４０個までの炭素原子を有する炭化水素残基であり、これには、−Ｏ−、−Ｃ（Ｏ）−、および−ＮＨ−から選択される１つまたは複数の基が含まれ得、そしてこれは、場合によって、シリル基によって置換され得る）、そして、
Ｒ5は、直鎖、環状、または分岐の、飽和、不飽和、または芳香族の、１００個までの炭素原子を有する炭化水素残基であり、これには、−Ｏ−、−Ｃ（Ｏ）−、および−ＮＨ−から選択される１つまたは複数の基が含まれ得、そしてこれは、場合によって、シリル基によって置換され得、または、
２つの残基Ｒ5がアルキレン残基を形成し、または
残基Ｒ5の１つまたは複数が、環状構造を形成しつつ、残基ＳＴ2への結合を形成し、
ＳＴ3は、二価または多価の、直鎖、環状、または分岐の、飽和、不飽和、または芳香族の、置換または非置換の、３０個までの炭素原子を有する炭化水素残基であり、これには、以下から選択される１つまたは複数の基が含まれ得：
−Ｏ−、
−Ｃ（Ｏ）−、
（式中、
Ａ-は、有機または無機陰イオンである）、
の構造要素を少なくとも１個含む新規の化合物が提供される。
【００１２】
本発明の化合物の好ましい実施形態では、残基Ｒ、Ｒ1、およびＲ2の少なくとも１つが水素を示し；特に好ましくは、残基Ｒ、Ｒ1、およびＲ2が全て水素を示す。可能な残基Ｒ、Ｒ1、およびＲ2としてのアルキルには、好ましくは、特に、メチル、エチル、プロピルのような、直鎖または分岐の、１個〜６個の炭素原子を有するアルキル残基が含まれる。
【００１３】
本発明の化合物には、好ましくは、少なくとも１つのポリジオルガノシロキサン単位が含まれる。ポリジオルガノシロキサン単位は、これらが基体に塗布された場合に、本発明の化合物に軟化特性を与える。
【００１４】
平均すると、本発明の化合物には、好ましくは、２個以上の式（１）の構造要素が含まれ、特に好ましくは、これらには、平均すると、式（１）の構造要素が約２個〜２０個含まれる。
【００１５】
好ましくは、本発明の化合物には、式（１）の構造要素が少なくとも２個含まれ、より好ましくは、式（１）の構造要素が少なくとも３個含まれる。しかし、本発明の化合物に式（１）の構造要素がわずかに１個しか含まれていないものもまた本発明の範囲に含まれ、これもまた、場合によっては「バタフライ」化合物と呼ばれる。そのような化合物の例としては以下が挙げられる。
【化３】
2011518894.tif 000004
【００１６】
そのような化合物は、例えば、２モルの式（５）：
【化４】
2011518894.tif 000005
（式中、Ｒ、Ｒ1、Ｒ2、およびＳＴ3は先に定義したとおりであり、Ｘは脱離基である）の化合物を、１モルの式（２）：
【化５】
2011518894.tif 000006
（式中、ＳＴ2およびＲ5は先に定義したとおりであり、ｐ＝２である）の化合物と反応させ、同時にまたは続いて、２モルの式（３）：
【化６】
2011518894.tif 000007
（式中、ＳＴ1は先に定義したとおりであり、ｑ＝２である）の化合物と反応させることによって製造することができる。
【００１７】
上記反応はまた、本発明の化合物の末端基を形成できる可能性を示している。末端基は、使用された多官能性モノマーの未反応の末端基のいずれかから生じ得、あるいは、例えば、アルコール、アミン、もしくは水のようなＣＨ−酸化合物、または酸のような、反応性の単官能性の化合物が鎖停止のために付加されて生じ得る。
【００１８】
さらに、本発明の化合物には、好ましくは、平均して、２つ以上のポリジオルガノシロキサン単位が含まれる。
【００１９】
本発明の好ましい実施形態では、本発明の化合物は直鎖構造を有する。この場合、直鎖構造は、式（１）の単位から形成されたポリマーの主鎖が実質的に直鎖である、すなわち、分岐を持たないことを意味する。しかし、これは、環状の構造要素が直鎖のポリマー主鎖に含まれることを可能にする。
【００２０】
本発明の好ましい実施形態では、残基ＳＴ1、ＳＴ2、およびＳＴ3はそれぞれ、２価の残基である。これは、本発明の化合物が、好ましくは直鎖の化合物であることを意味し、ここでは、以下に説明するように、環状構造が式（１）によって形成されるポリマー主鎖の中に存在し得る。分岐のポリカーボネート−ポリオルガノシロキサンおよび／またはポリウレタン−ポリオルガノシロキサン化合物もまた本発明の化合物に含まれ、特に、ポリマー主鎖の分岐が残基ＳＴ1またはＳＴ2（この場合、これは当然３価以上でなければならない）の少なくとも１つを介して起こるものが本発明の化合物に含まれる。
【００２１】
さらに、ポリイソシアネート、ポリカルボン酸もしくは酸塩化物のようなその誘導体、またはポリエポキシドを使用して、存在するヒドロキシル基によって本発明の化合物を後に架橋することも可能であり、こうして架橋された化合物もまた本発明に含まれる。
【００２２】
直鎖の化合物は、特に、以下の式：
【化７】
2011518894.tif 000008
（式中、ＳＴ2およびＲ5は先に定義したとおりであり、ｐ＝２である）の出発化合物と式（３）：
【化８】
2011518894.tif 000009
（式中、ＳＴ1は先に定義したとおりであり、ｑ＝２である）の化合物とから出発して得られる。
【００２３】
本発明の化合物は、好ましくは直鎖の化合物である。ＳＴ1、ＳＴ2、およびＳＴ3がそれぞれ２価の残基である化合物である。
【００２４】
本発明の化合物には、式（４）：
【化９】
2011518894.tif 000010
（式中、
Ｒ4は、直鎖、環状、または分岐の、飽和、不飽和、または芳香族の、２０個までの炭素原子を有する炭化水素残基であり、そして／またはＲ4はアルコキシ残基であり、そのアルキル部分は、直鎖、環状、または分岐の、２０個までの炭素原子を有する飽和アルキル残基であり、これには（例えば、ポリアルキレンオキシアルコキシ残基の場合のように）１つまたは複数の酸素原子が含まれ得、
ｓ＝１〜９９９である）
の少なくとも１つのポリオルガノシロキサン残基が含まれる。
【００２５】
好ましいものは：
Ｒ4  Ｃ１〜Ｃ２０、好ましくは、Ｃ１〜Ｃ９の、直鎖または環状または分岐の、飽和または不飽和または芳香族の炭化水素残基、特に好ましくは、メチルおよびフェニル、
ｓ  １〜１９９、特に、１〜９９である。
【００２６】
特に好ましい場合には、シロキサン単位は、式（４ａ）：
【化１０】
2011518894.tif 000011
（式中、ｓは先に明記したとおりである）のポリジメチルシロキサン単位の構造を有する。
【００２７】
以下の化合物は、例えば、代替的なＲ4＝アルコキシおよび／またはアルキルに対応している化合物ＳＴ1−（Ｙ−Ｈ）2を構成する。
【化１１】
2011518894.tif 000012
【００２８】
ヘアケアの分野のような化粧品の分野での本発明の化合物の使用に特に適している１つの実施形態においては、ｓは、好ましくは、＞１９９である。
【００２９】
特に織物用の柔軟剤としての本発明の化合物の使用に特に好ましい１つの実施形態では、ｓは、好ましくは２０〜６０であり、特に好ましくは２０〜５３である。
【００３０】
特に好ましくは、本発明のポリカーボネート−ポリオルガノシロキサンおよび／またはポリウレタン−ポリオルガノシロキサン化合物には、少なくとも２つの式（４）のポリオルガノシロキサン残基が含まれる。
【００３１】
好ましくは、平均して、構造要素ＳＴ1とＳＴ2との合計のうちの少なくとも１０ｍｏｌ−％に、ポリジオルガノシロキサン単位が含まれる。これは、本発明の化合物を調製するために、式（２）の出発化合物と式（３）の出発化合物：
【化１２】
2011518894.tif 000013
（式中、ＳＴ2、Ｒ5、ｐは先に定義したとおりである）
【化１３】
2011518894.tif 000014
（式中、ＳＴ1、Ｙ、およびｑは先に定義したとおりである）
との混合物が使用されることを意味する。ここでは、出発化合物の一部にポリジオルガノシロキサン単位が含まれ、出発化合物の別の部分にはポリジオルガノシロキサン単位は含まれない。ここでは、出発化合物の比は、好ましくは、残基ＳＴ1およびＳＴ2の少なくとも１０ｍｏｌ−％にポリジオルガノシロキサン単位が含まれるように選択される。
【００３２】
特に好ましくは、構造要素ＳＴ1またはＳＴ2の一方だけにポリジオルガノシロキサン単位が含まれる。これは、例えば、構造要素ＳＴ1にだけポリジオルガノシロキサン単位が含まれることを意味する。ここでは、この場合には、基ＳＴ1が、ポリジオルガノシロキサン単位を含む構造要素とポリジオルガノシロキサン単位を含まない構造要素との混合物を示すことが好ましいことが当てはまり、ここでは、好ましくは、平均して、ＳＴ1基の少なくとも１０ｍｏｌ−％に、ポリジオルガノシロキサン単位が含まれる。別の好ましい実施形態では、ポリジオルガノシロキサン単位もまた、ＳＴ2に対応する構造要素の中だけに存在し得る。ここでは、この場合には、平均して、ＳＴ2基の少なくとも１０ｍｏｌ−％にポリジオルガノシロキサン単位が含まれることが好ましいことも当てはまる。
【００３３】
ポリジオルガノシロキサン含有の基ＳＴ1および／または基ＳＴ2の含有量はまた、２５ｍｏｌ−％以上、５０ｍｏｌ−％以上、そしてさらには１００ｍｏｌ−％であり得る。
【００３４】
本発明の化合物においては、好ましくは、Ｙ＝−ＮＲ6−である（式中、Ｒ6は先に定義したとおりである）。この場合、本発明の化合物は、好ましくは、ポリウレタン化合物であり、特に好ましくは、ポリウレタン−ポリオルガノシロキサン化合物である。特に好ましくは、Ｙ＝−ＮＨ−である。
【００３５】
好ましい実施形態では、本発明の化合物には、ポリエーテル基、特に好ましくは、ポリエーテル基と、ポリジオルガノシロキサン基とが含まれる。この実施形態により、本発明の化合物に対して、基体表面上、特に、繊維性の基体表面上での優れた持続性（洗い出されることに対する耐性）とともに十分な親水性が付与される。
【００３６】
本発明の化合物においては、ＳＴ1はＳＴ2と同じではないことが好ましい。
【００３７】
本発明の化合物の好ましい実施形態では、残基ＳＴ1および／またはＳＴ2は、以下からなる群より選択される：ポリオルガノシロキサン含有の残基、ポリエーテル含有の残基、ポリオルガノシロキサンとポリエーテル含有の残基、単環または多環の炭化水素残基、非環式の、場合によって酸素含有の炭化水素残基、および芳香族基を含む場合によって酸素含有の炭化水素残基。好ましくは、残基ＳＴ1および／またはＳＴ2の少なくとも１つに、ポリアルキレンオキシ基が含まれる。
【００３８】
本発明のさらに好ましい実施形態では、ＳＴ1および／またはＳＴ2に、以下の式：
【化１４】
2011518894.tif 000015
（式中、ｓは先に定義したとおりであり、ｒは、好ましくは、１〜１２である）の構造要素が含まれる。
【００３９】
本発明の化合物の別の好ましい実施形態では、
Ｒ、Ｒ1、および
Ｒ2＝水素であり、
ＳＴ1＝直鎖または環状または分岐の、飽和または不飽和または芳香族の、２個から２００個の炭素原子を有する炭化水素残基であり、これには場合によって、−Ｏ−、−Ｃ（Ｏ）−、および／または２個〜２００個のケイ素原子を有するポリジオルガノシロキサン単位が含まれ得、
ＳＴ2＝直鎖または環状または分岐の、飽和または不飽和または芳香族の、２個〜２００個の炭素原子を有する炭化水素基であり、これには、−Ｏ−、−Ｃ（Ｏ）−、−ＮＨ−、−ＮＲ3−、および場合によって２個〜２００個のケイ素原子を有するポリジオルガノシロキサン単位が含まれ得、
Ｒ3＝直鎖または環状または分岐の、飽和または不飽和または芳香族の、１０個までの炭素原子を有する炭化水素残基であり、これには、
−Ｏ−、−Ｃ（Ｏ）−、および−ＮＨ−が含まれ得、
ＳＴ3＝２価の直鎖の、置換または非置換の、２０個までの炭素原子を有する炭化水素残基であり、これには、−Ｏ−および−Ｃ（Ｏ）−から選択される１つまたは複数の基が含まれ得、
Ｙ＝−ＮＲ6−であり、（式中、
Ｒ6＝水素、あるいは、直鎖、環状、または分岐の、飽和、不飽和、または芳香族の、１０個までの炭素原子を有する炭化水素残基であり、これには、−Ｏ−、−Ｃ（Ｏ）−、−ＮＨ−、および−ＮＲ3−から選択される１つまたは複数の基が含まれ得、（式中、Ｒ3は先に定義したとおりである））、
Ｒ5＝直鎖または環状または分岐の、飽和または不飽和または芳香族の、２５個までの炭素原子を有する炭化水素残基であり、これには、−Ｏ−、−Ｃ（Ｏ）−、−ＮＨ−が含まれ得、または、
２つの残基Ｒ5がアルキレン残基を形成し、または
残基Ｒ5の１つまたは複数が、環状構造を形成しつつ、残基ＳＴ2への結合を形成し、
Ａ-＝ハロゲン化物のような無機陰イオン、カルボン酸塩、アルキル硫酸塩、スルホン酸塩のような有機陰イオンであり、
ただし、構造要素ＳＴ1およびＳＴ2の少なくとも１つにポリジオルガノシロキサン単位が含まれる。
【００４０】
本発明の化合物の別の好ましい実施形態では、
Ｒ、Ｒ1、
およびＲ2＝水素であり、
ＳＴ1＝直鎖または環状または分岐の、飽和または不飽和または芳香族の、２個〜１００個の炭素原子を有する炭化水素残基であり、これには場合によって、−Ｏ−、−Ｃ（Ｏ）−、および／または２個〜１００個のケイ素原子を有するポリジオルガノシロキサン単位が含まれ得、
ＳＴ2＝直鎖または環状または分岐の、飽和または不飽和または芳香族の、２個〜１００個の炭素原子を有する炭化水素残基であり、これには、−Ｏ−、−Ｃ（Ｏ）−、−ＮＨ−、−ＮＲ3−、および場合によって２個〜１００個のケイ素原子を有するポリジオルガノシロキサン単位が含まれ得、（式中、
Ｒ3＝直鎖または環状または分岐の、飽和または不飽和または芳香族の、７個までの炭素原子を有する炭化水素残基である）、これには、
−Ｏ−、−Ｃ（Ｏ）−、および−ＮＨ−が含まれ得、
ＳＴ3＝２価の直鎖の、１０個までの炭素原子を有する炭化水素残基であり、これには、−Ｏ−および−Ｃ（Ｏ）−から選択される１つまたは複数の基が含まれ、
Ｙ＝−ＮＲ6−であり、（式中、
Ｒ6＝水素、あるいは、直鎖、環状、または分岐の、飽和、不飽和、または芳香族の、７個までの炭素原子を有する炭化水素残基であり、これには、−Ｏ−、−Ｃ（Ｏ）−、−ＮＨ−、および−ＮＲ3−から選択される１つまたは複数の基が含まれ得、（式中、Ｒ3は先に定義したとおりである））、
Ｒ5＝直鎖または環状または分岐の、飽和または不飽和または芳香族の、６個までの炭素原子を有する炭化水素残基であり、これには、−Ｏ−、−Ｃ（Ｏ）−、−ＮＨ−が含まれ得、または、
２つの残基Ｒ5がＣ２−〜Ｃ３−アルキレン残基を形成し、または
残基Ｒ5の１つまたは複数が、環状構造を形成しつつ、残基ＳＴ2への結合を形成し、
Ａ-＝ハロゲン化物（特に、塩化物）のような無機陰イオン、カルボン酸塩（特に、Ｃ２−〜Ｃ１８−カルボン酸塩、アルキルポリエーテルカルボン酸塩）、アルキル硫酸塩（特に、メトサルフェート）、スルホン酸塩（特に、アルキルスルホン酸塩）、およびアルキルアリールスルホン酸塩（特に、トルイルスルホン酸塩）のような有機陰イオンである。
【００４１】
２つの残基Ｒ5がアルキレン残基を形成する場合には、原則として２つの可能性が含まれる：
同じ窒素原子上にある２つの残基Ｒ5は環を形成することができる。そのような構造は、例えば、ピペリジン、ピロリジン、１−Ｈ−ピロール、ピロリンなどのような環状アミノ化合物が使用される場合に生じる。ピペリジンからは、例えば、以下の式：
【化１５】
2011518894.tif 000016
の化合物を（例えば、ジエポキシドをピペリジンと反応させることによって）調製することができ、これはその後、
【化１６】
2011518894.tif 000017
と四級化するように反応させられ、そしてその後、式（２）：
【化１７】
2011518894.tif 000018
の化合物と反応させられ、それによって式（１ａ）：
【化１８】
2011518894.tif 000019
の化合物が製造される。
【００４２】
さらに、隣接する窒素原子上にある２つの残基Ｒ5は環を形成し得る。そのような構造は、例えば、ジメチルピペラジンが式（２）：
【化１９】
2011518894.tif 000020
（ｐ＝２であり、２つのＲ5がエチレンを形成し、２つのＲ5がメチルである）の化合物として使用される場合に生じる。例えば、式（１ｂ）の化合物が製造される。
【化２０】
2011518894.tif 000021
【００４３】
残基Ｒ5の１つまたは複数が、環状構造を形成しつつ、残基ＳＴ2への結合を形成する場合は、例えば、以下の状況に相当する。例えば、メチルピペラジンを使用することにより、式（６）：
【化２１】
2011518894.tif 000022
の化合物が（例えば、ジエポキシドのメチルピペラジンとの反応によって）製造される。これはその後、四級化するように反応させられ、結果として、例えば、構造（１ｃ）の化合物が生じる。
【化２２】
2011518894.tif 000023
【００４４】
さらなる工程では、これらの化合物は、例えば、式（７）：
Ｘ'−Ｒ3    （７）
（式中、Ｘ’はＸについて定義したような脱離基であり、Ｒ3は先に定義したとおりである）の化合物との反応によって、窒素原子上でさらに四級化することができ、その結果、式（１ｄ）：
【化２３】
2011518894.tif 000024
の化合物が生じる。この式はさらに、式：
【化２４】
2011518894.tif 000025
のＳＴ2構造要素の中に含まれる化合物の実例となる、すなわち、この基は、ＳＴ2の中に環状構造を形成するように実質的に作用する。
【００４５】
特に、構造要素ＳＴ1は、炭化水素系もしくはシロキサン系のジ第一級または第二級アミンあるいはアルコールに由来する。ジ第一級アミノ構造が好ましい。
【００４６】
炭化水素系の残基ＳＴ1は、一方では、ジ第一級および第二級アミンまたはアルコールに直接由来する構造である。
【００４７】
二官能性構造の場合には、例えば、以下のような、２価の直鎖の、１５個までの炭素原子を有する炭化水素残基が特に好ましい：ヘキサメチレン、１５個までの炭素原子を有する２価の環状の炭化水素残基（例えば、ビス−シクロヘキシルメタン構造：
【化２５】
2011518894.tif 000026
またはピペラジンまたはＪｅｆｆｌｉｎｋ（登録商標）７５４（Huntsman Corp.）のような市販されているビス−第二級アミンをベースとする）、
１５個までの炭素原子を有する２価の分岐の炭化水素残基（例えば、メチルシクロヘキシルまたはイソホロン構造をベースとする）：
【化２６】
2011518894.tif 000027
または
【化２７】
2011518894.tif 000028
１５個までの炭素原子を有する２価の芳香族の炭化水素残基（例えば、２，４−トルイル、２，６−トルイル、ビス−フェニル−メタン、およびナフチレン構造をベースとする）
【化２８】
2011518894.tif 000029
エチレンジアミンおよびそのオリゴマー、１，３−プロピレンジアミンおよびそのオリゴマー、
Ｈ2ＮＣＨ2ＣＨ2Ｎ（ＣＨ3）ＣＨ2ＣＨ2ＮＨ2、Ｈ2ＮＣＨ2ＣＨ2ＣＨ2Ｎ（ＣＨ3）ＣＨ2ＣＨ2ＣＨ2ＮＨ2、さらには、
ＨＯＣＨ2ＣＨ2Ｎ（ＣＨ3）ＣＨ2ＣＨ2ＯＨおよびＨＯＣＨ2ＣＨ2ＮＨ2、ならびにそれらのオリゴマーエチレンオキサイド誘導体。
【００４８】
別の好ましい実施形態では、炭化水素残基ＳＴ1は、第一級および第二級アミン官能化プレポリマーに由来するさらに複雑な構造であり、これはまたさらに高度に官能化され得る。
【００４９】
例として以下が挙げられる：
−  第一級または第二級アミノ末端を有するポリエーテル、好ましくは、エチレンオキサイド系およびプロピレンオキサイド系ポリエーテル、例えば、Ｊｅｆｆａｍｉｎｅ（登録商標）タイプの第一級および第二級アミノ末端を有するポリエーテル（例えば、ＥＤシリーズおよびＴシリーズ（Huntsman Corp.）に由来する）、
−  ＮＨ2末端を有するポリアミド、
−  ＮＨ2末端を有する尿素。
【００５０】
ＳＴ1へのシロキサンブロックの本発明にしたがう導入は、好ましくは、α，ω−第一級または第二級アミノ官能化プレポリマーを介して起こる。対応するα，ω−第一級または第二級アミノアルキル末端を有する持つシロキサンの製造は、先行技術の一部である（Silicone, Chemie und Technologie,Vulkan Verlag Essen 1989, pp. 85-90）。
【００５１】
α，ω−位置にあるアミノ末端基は、例えば、以下である：
−ＣＨ2ＣＨ2ＣＨ2ＮＨ2、−ＣＨ2ＣＨ2ＣＨ2ＮＨＣＨ2ＣＨ2ＮＨ2、
−ＣＨ2ＮＨ2、−ＣＨ2ＮＨＣＨ2ＣＨ2ＮＨ2、
−ＣＨ2ＣＨ2ＣＨ2ＯＣＨ2ＣＨ（ＯＨ）ＣＨ2ＮＨ2、
−ＣＨ2ＣＨ2ＣＨ2ＯＣＨ2ＣＨ（ＯＨ）ＣＨ2ＮＨＣＨ2ＣＨ2ＮＨ2、
または、アンモニアとエチレンジアミンを有するシクロヘキサンオキサイドの類似する開環生成物。
【００５２】
シロキサン単位は、好ましくは、構造（４）：
【化２９】
2011518894.tif 000030
（式中、
Ｒ4は、Ｃ１〜Ｃ２０、好ましくは、Ｃ１〜Ｃ９の、直鎖または環状または分岐の、飽和または不飽和または芳香族の炭化水素残基であり、特に好ましくは、メチルおよびフェニルであり、
ｓは、１〜９９９、好ましくは、１〜１９９、特に、１〜９９である）
を有する。
【００５３】
特に好ましい場合においては、シロキサン単位は構造（４ａ）：
【化３０】
2011518894.tif 000031
（式中、ｓは先に明記したとおりである）を有する。
【００５４】
すでに記載したように、以下のようなアルコキシアミノシロキサンを使用することは本発明の範囲内にある。
【化３１】
2011518894.tif 000032
【００５５】
これにより、ＳＴ1に反応性ケイ素−アルコキシ構造を特異的に導入できる可能性もまた提供される。
【００５６】
さらに、予め、第一級および第二級アミノ末端基を含む炭化水素系およびシロキサン系のＳＴ1前駆体をオリゴマー化させることは、本発明の範囲内にある。この目的を達成するために、これらは、好ましくは、先行反応において、化学量論不足（stoichiometric deficit）およびジエポキシドと反応させられる。この方法にしたがって、アミノシロキサンを、例えば、アルコキシアミノシロキサンと、またはアミノシロキサンをアミノポリエーテル、または芳香族ヒドロカルビルアミンをＳＴ1中のアルコキシアミノシロキサンと組み合わせることができる。
【００５７】
さらに、炭化水素残基ＳＴ1を形成させるために、さらに官能性の高い第一級および第二級アミンとアルコールとを使用することは、本発明の範囲内にある。例として、Ｎ（ＣＨ2ＣＨ2ＮＨ2）3、Ｎ（ＣＨ2ＣＨ2ＯＨ）3が挙げられる。分岐構造がそれらから作製される。
【００５８】
さらに、炭化水素残基ＳＴ1を形成させるために、官能性の高い第一級または第二級アミノ基を担持するシロキサンプレポリマーを使用することは、本発明の範囲内にある。
【００５９】
これらの櫛状シロキサン、および場合によってα，ω−アミノ官能化シロキサンもまた、先行技術から既知であり、これには好ましくは、以下のタイプのアミノ基が含まれる：
−ＣＨ2ＣＨ2ＣＨ2ＮＨ2、−ＣＨ2ＣＨ2ＣＨ2ＮＨＣＨ2ＣＨ2ＮＨ2、
−ＣＨ2ＮＨ2、−ＣＨ2ＮＨＣＨ2ＣＨ2ＮＨ2、
−ＣＨ2ＣＨ2ＣＨ2ＯＣＨ2ＣＨ（ＯＨ）ＣＨ2ＮＨ2
−ＣＨ2ＣＨ2ＣＨ2ＯＣＨ2ＣＨ（ＯＨ）ＣＨ2ＮＨＣＨ2ＣＨ2ＮＨ2
または、アンモニアとエチレンジアミンとを有するシクロヘキサンオキサイドの類似する開環生成物。
【００６０】
炭化水素残基ＳＴ1を形成させるために、単官能性の第一級および第二級アミンとアルコールとを使用することもまた本発明の範囲内にある。この例としては、Ｃ１〜Ｃ１８脂肪族アミン、単官能性ポリエーテル、例えば、Ｍ型のＪｅｆｆａｍｉｎｅｓ、（ＣＨ3）2ＮＣＨ2ＣＨ2ＯＨが挙げられる。
【００６１】
さらに、炭化水素残基ＳＴ1を形成させるために、単官能性の第一級または第二級アミノ基を担持するシロキサンプレポリマーを使用することも、本発明の範囲内にある。例として、以下のタイプの置換基を含むＭＭ*構造およびＭ2Ｄ*構造が挙げられる：
−ＣＨ2ＣＨ2ＣＨ2ＮＨ2、−ＣＨ2ＣＨ2ＣＨ2ＮＨＣＨ2ＣＨ2ＮＨ2、
−ＣＨ2ＮＨ2、−ＣＨ2ＮＨＣＨ2ＣＨ2ＮＨ2、
−ＣＨ2ＣＨ2ＣＨ2ＯＣＨ2ＣＨ（ＯＨ）ＣＨ2ＮＨ2
−ＣＨ2ＣＨ2ＣＨ2ＯＣＨ2ＣＨ（ＯＨ）ＣＨ2ＮＨＣＨ2ＣＨ2ＮＨ2
【００６２】
基ＳＴ2を導入する出発化合物は、シロキサンを含まないもの、例えば、場合によって置換され、またはヘテロ原子含有炭化水素系あるいはシロキサン系の物質である。
【００６３】
好ましい実施形態では、これらは、ジ第三級炭化水素系の物質である。特に、これらは、脂肪族または芳香族のジ第三級アミンであり得、例えば、（ＣＨ3）2Ｎ（ＣＨ2）2Ｎ（ＣＨ3）2、（ＣＨ3）2Ｎ（ＣＨ2）4Ｎ（ＣＨ3）2、（ＣＨ3）2Ｎ（ＣＨ2）6Ｎ（ＣＨ3）2、およびエーテル含有ジ第三級アミン、例えば、（ＣＨ3）2Ｎ（ＣＨ2）3Ｏ（ＣＨ2）3Ｎ（ＣＨ3）2、および（ＣＨ3）2Ｎ（ＣＨ2）2Ｏ（ＣＨ2）2Ｎ（ＣＨ3）2であり得る。
【００６４】
別の実施形態では、炭化水素系のジ第三級アミンは、エポキシ、ハロゲン、ハロカルボン酸前駆体に由来し、これらは、第二級アミンによってジ第三級アミンに転移させられる。
【００６５】
好ましくは、炭化水素系のジエポキシド誘導体は以下のものである：
−  炭化水素ジエポキシド、例えば、ビニルシクロヘキセンジエポキシド、
−  エポキシ末端を有するポリエーテル、好ましくは、エチレンオキサイド系およびプロピレンオキサイド系のポリエーテル、例えば、グリシジル末端を有するポリエーテル、
−  エポキシ末端を有するポリエステル、
−  エポキシ末端を有するポリカーボネート。
【００６６】
ハロゲン官能化炭化水素誘導体（好ましくは、塩化物および臭化物）は、好ましくは、以下のものである：
−  ジハロゲン化炭化水素
−  ハロゲン末端を有する（好ましくは、エチレンオキサイド系およびプロピレンオキサイド系の）ポリエーテル
−  炭化水素ジオールおよびポリエーテルのハロカルボン酸エステル、好ましくは、エチレンオキサイド系のおよびプロピレンオキサイド系のポリエーテル、特に、炭化水素ジオールおよびポリエーテルのクロロ酢酸エステル、クロロプロピオン酸エステル、ならびにクロロブタン酸エステル。
【００６７】
二官能性の酸アルコキシレート（acid alkoxylates）を、対応するグリシジル、ハロゲン、またはハロカルボン酸エステル誘導体に転移させること、および本発明にしたがってそれらを使用することもまた、本発明の範囲内にある。これらは、例えば、コハク酸に由来する。
【００６８】
特に好ましいクロロカルボン酸の合成は、ジオール成分の、対応するハロカルボン酸無水物またはハロカルボン酸塩化物との反応によって、既知の様式で行われる（Organikum, Organisch-Chemisches Grundpraktikum, 第１７版, VEB Deutscher Verlag der Wissenschaften, Berlin 1988, pp. 402-408）。
【００６９】
別の実施形態では、炭化水素残基ＳＴ2の前駆体は、α，ω−ヒドロキシル官能化プレポリマー由来の、さらに複雑な、α，ω−エポキシ−またはハロゲン末端を有する構造である。
【００７０】
好ましくは、これらのα，ω−ヒドロキシル官能化プレポリマーは、以下のものの反応生成物である
−  ジオールとジイソシアネート、
−  ＯＨ末端を有するポリエーテル、好ましくは、エチレンオキサイド系およびプロピレンオキサイド系のポリエーテルと、ジイソシアネート、
−  ＯＨ末端を有するポリエステル、
−  ＯＨ末端を有するポリカーボネート。
【００７１】
好ましい実施形態では、これらのα，ω−ヒドロキシル−官能化プレポリマーは、対応するα，ω−ハロカルボン酸エステル、特に、クロロ酢酸エステル、クロロプロピオン酸エステル、およびクロロブタン酸エステルに転移させられる。
【００７２】
本発明にしたがうＳＴ2へのシロキサンブロックの導入（これもまた好ましい）は、一方では、α，ω−第三級アミノアルキル末端を有するシロキサン、例えば、Ｎ，Ｎ−ジメチルアミノプロピル末端を有するシロキサンおよびＮ，Ｎ−ジメチルアミノメチル末端を有するシロキサンを介して起こる。そのようなα，ω−第三級アミノアルキル末端を有するシロキサンの合成は、例えば、Ｐｔ触媒の存在下での対応するＳｉＨシロキサンと不飽和第三級アミンのヒドロシリル化によって、またはクロロメチルハイドロゲンシランから出発して、既知の様式で行われる。
【００７３】
別の実施形態では、シロキサン系ジ第三級アミンは、エポキシ、ハロゲン、ハロカルボン酸前駆体に由来し、これらは、第二級アミンによってジ第三級アミンに転移させられる。
【００７４】
好ましくは、エポキシ、ハロゲン、ハロカルボン酸前駆体は、以下のものである：
−α，ω−エポキシ末端を有するシロキサン、好ましくは、α，ω−グリシジル末端を有するシロキサンおよびエポキシシクロ−へキシル末端を有するシロキサン、
−α，ω−ハロゲンアルキル末端を有するシロキサン、好ましくは、クロロメチル末端を有するシロキサン、クロロプロピル末端を有するシロキサン、およびクロロプロペニル末端を有するシロキサン、
−α，ω−ハロカルボン酸エステル末端を有するシロキサン、好ましくは、クロロ酢酸、クロロプロピオン酸、およびクロロブタン酸のエステル、
−α，ω−ハロカルボン酸エステル末端を有するポリエーテルシロキサン、好ましくは、クロロ酢酸、クロロプロピオン酸、およびクロロブタン酸のエステル。
【００７５】
ＳＴ2に導入されたこれらのα，ω−エポキシ末端を有するシロキサンおよびα，ω−ハロゲンアルキル末端を有するシロキサンの調製は、先行技術に記載されている（Silicone, Chemie und Technologie, Vulkan Verlag Essen 1989, pp. 85-90および120）。
【００７６】
α，ω−ハロカルボン酸エステル末端を有するシロキサンの調製は、WO 02/10256の実施例１のプロセスと同様に行うことができる。この場合、ＳｉＨシロキサンは、オレフィン性またはアセチレン性不飽和アルコールのハロカルボン酸エステルと反応させられる。
【００７７】
α，ω−ハロカルボン酸エステル末端を有するポリエーテルシロキサンの調製は、WO 02/10257の実施例１と同様に行うことができる。この場合、ＳｉＨシロキサンは、オレフィン性またはアセチレン性不飽和ポリエーテルのハロカルボン酸エステルと反応させられる。あるいは、ポリエーテルシロキサンを、ハロカルボン酸、それらの無水物または酸塩化物と反応させることも可能である（US 5,153,294、US 5,166,297）。
【００７８】
別の実施形態では、ＳＴ2へのシロキサンブロックの導入は、α，ω−エポキシ官能化シロキサンプレポリマーまたはハロゲン官能化シロキサンプレポリマーを介して行われる。これは、好ましくは、対応するα，ω−ヒドロキシアルキル末端を有するシロキサンプレポリマーまたはα，ω−ヒドロキシポリエーテル末端を有するシロキサンプレポリマーから得ることができる。
【００７９】
これらのＯＨ末端を有するシロキサン含有プレポリマーは、好ましくは、以下の反応によって得られ：
−  α，ω−ヒドロキシアルキル末端を有するシロキサンとジイソシアネート、
−  α，ω−ポリエーテル末端を有するシロキサンとジイソシアネート、
その後、エポキシおよびハロゲン誘導体へと転移させられる。α，ω−ハロカルボン酸官能化シロキサンプレポリマーは、例えば、無水物または酸塩化物でのエステル化によって入手することができ、好ましい実施形態を構成する。
【００８０】
さらに、予め適切な炭化水素系ＳＴ2前駆体とシロキサン系ＳＴ2前駆体とをオリゴマー化させることも、本発明の範囲内にある。
【００８１】
この目的のためには、ジエポキシドは、好ましい実施形態では、化学量論不足のジ第二級アミン（例えば、ピペラジン）と反応させられ、その後、残っている末端エポキシ基が、第二級アミンまたは第二級−第三級ジアミンでアルキル化される。これらのアミンの例としては、ジメチルアミン、Ｎ−メチルピペラジン、および
ＣＨ3ＮＨＣＨ2ＣＨ2ＣＨ2Ｓｉ[ＯＣＨ（ＣＨ3）2]3が挙げられる。
【００８２】
別の好ましい実施形態では、ジエポキシドは、鎖を伸長させつつ、化学量論不足の第一級アミノアルキルで置換したシラン、例えばＨ2ＮＣＨ2ＣＨ2ＣＨ2Ｓｉ[ＯＣＨ（ＣＨ3）2]3と反応させられ、その後、残っている末端エポキシ基が、第二級アミンまたは第二級−第三級ジアミンでアルキル化される。これらのアミンの例としては、ジメチルアミン、Ｎ−メチルピペラジン、およびＣＨ3ＮＨＣＨ2ＣＨ2ＣＨ2Ｓｉ[ＯＣＨ（ＣＨ3）2]3が挙げられる。
【００８３】
上記オリゴマー化反応の方法にしたがって、炭化水素系、ポリエーテル系、シロキサン系、およびシラン系の構造を、ＳＴ2の中で互いに組み合わせることができる。
【００８４】
さらに、残基ＳＴ2を形成させるために、官能性の高い炭化水素系またはシロキサン系の物質を使用することも、本発明の範囲内にある。これらの材料には、上記のように処理された３個以上の第三級アミノ官能基が含まれる。一例は、Ｎ[ＣＨ2ＣＨ2ＣＨ2Ｎ（ＣＨ3）2]3である。
【００８５】
さらに、これらの官能性の高い第三級アミンは、上記の第二級アミンとの反応によって、対応するエポキシ、ハロゲン、またはハロカルボン酸誘導体から作製することができる。
【００８６】
官能性の高い炭化水素系の物質の例としては、グリセロール、ペンタエリスロール（pentaerythrol）、ソルビトール、およびそれらのエトキシレート／プロポキシレートのグリシジルまたはクロロ酢酸エステル誘導体が挙げられる。さらに官能性の高い酸アルコキシレートを、対応するグリシジルまたはクロロ酢酸エステル誘導体に転移させること、および本発明にしたがってそれらを使用することもまた、本発明の範囲内にある。これらは、例えば、トリメリット酸またはピロメリット酸に由来する。
【００８７】
適切な官能性の高いシロキサン系の物質は、例えば、Ｐｔ触媒の存在下での、不飽和第三級アミン上のＳｉＨシロキサンのヒドロシリル化によって、またはクロロメチルシランから出発して得られることができる。
【００８８】
さらに、適切な官能性の高いシロキサン系の物質は、α，ω−および／または櫛状エポキシ置換シロキサンまたはハロゲン置換シロキサン、好ましくは、ハロカルボン酸エステル置換シロキサンから、第二級アミンとの反応によって得られることができる。
【００８９】
重要なのは、これらの官能性の高い炭化水素系またはシロキサン系の物質の官能価が２を上回ることである。
【００９０】
さらに、残基ＳＴ2を形成させるために、単官能性の炭化水素系またはシロキサン系の物質を使用することも、本発明の範囲内にある。これらの材料には、上記のように処理された第三級アミノ基の１つが含まれる。
【００９１】
単官能性の炭化水素系物質の例としては、（ＣＨ3）2ＮＣＨ2ＣＨ2ＣＨ2ＮＨ2および（ＣＨ3）3ＳｉＯＳｉ（ＣＨ3）2−ＣＨ2ＣＨ2ＣＨ2Ｎ（ＣＨ3）2をベースとする脂肪酸アミドが挙げられる。
【００９２】
エポキシ含有前駆体がＳＴ2の導入のために使用される場合は、酸が、先行技術から既知の様式で化学量論量で添加される。陰イオンは、ハロゲン化物（特に、塩化物）のような無機陰イオン、ならびに、カルボン酸塩（特に、Ｃ２〜Ｃ１８カルボン酸塩、アルキルポリエーテルカルボン酸塩）、アルキル硫酸塩（特に、メトサルフェート）、スルホン酸塩（特に、アルキルスルホン酸塩）、およびアルキルアリールスルホン酸塩（特に、トルイルスルホン酸塩）のような有機陰イオンである。
【００９３】
ＳＴ1およびＳＴ2に関する上記の説明に基づいて、炭化水素系のような非シロキサン系の要素およびシロキサン系の要素であるＳＴ1と、ＳＴ2とを、本発明の化合物についての幅広い制限の範囲内で、互いに混合できることが明らかとなる。加えて、反応性アルコキシシロキサンおよびアルコキシシランを導入することができる。
【００９４】
すでに示したように、官能性が高く、かつ単官能性のＳＴ1前駆体およびＳＴ2前駆体の使用により、直鎖状のポリマー構造からの特定の逸脱が可能である。原則として、これらの単官能性の、炭化水素系のような非シロキサン系、またはシロキサン系のＳＴ1およびＳＴ2前駆体は、形成されるポリマーの分子量を調節するために加えられる。官能性の高いＳＴ1およびＳＴ2前駆体は、ポリマー鎖の分岐の程度を制御する役割を担う。
【００９５】
本発明の化合物は、好ましくは、式（５）：
【化３２】
2011518894.tif 000033
（式中、Ｒ、Ｒ1、Ｒ2、およびＳＴ3は先に定義したとおりであり、Ｘは脱離基である）の化合物を、式（２）：
【化３３】
2011518894.tif 000034
（式中、ＳＴ2およびＲ5は先に定義したとおりであり、ｐ＝２または３である）の化合物と反応させ、同時にまたは続いて、式（３）：
【化３４】
2011518894.tif 000035
（式中、ＳＴ1は先に定義したとおりであり、ｑ＝２〜１０である）の化合物と反応させる工程を含む方法にしたがって調製される。
【００９６】
好ましくは、この場合、Ｙ＝ＮＲ6である（式中、Ｒ6は先に定義したとおりであり；特に好ましくは、Ｙは水素である。Ｘは、好ましくはハロゲンである。）。一般的には、これは、四級化反応後に陰イオンＡ-を形成する。
【００９７】
第四級アンモニウム基およびシロキサン単位を含む本発明のブロックコポリマーは、好ましくは、式（８）：
【化３５】
2011518894.tif 000036
（式中、ＳＴ2およびＲ5は先に定義したとおりである）の化合物の、式（９）：
【化３６】
2011518894.tif 000037
（式中、ｙ＝１〜１９であり、Ｘは先に定義したとおりである）の化合物との反応を含む方法によって調製される。これらの二官能性の炭酸塩前駆体は、例えば、グリセロール炭酸塩およびハロカルボン酸、またはそれらの酸塩化物から合成することができる。クロロ酢酸、クロロプロパン酸、およびクロロブタン酸が、好ましい代表例である。
【００９８】
形成された中間生成物（１０）：
【化３７】
2011518894.tif 000038
は、その後、式（１１）：
【化３８】
2011518894.tif 000039
（式中、ＳＴ1およびＹは先に定義したとおりである）の化合物と反応させられる。
【００９９】
【化３９】
2011518894.tif 000040
の二官能性炭酸塩前駆体との反応、およびそれに続くＳＴ1前駆体との反応は、好ましくは、室温から１６０℃まで、好ましくは、１４０℃までの範囲で行われる。反応時間は、数分から数時間である。反応時間、反応温度、および行われる変換は、特に、前駆体の構造に依存する。クロロ酢酸系炭酸塩前駆体は、一般的には、長鎖誘導体よりも反応性が高く、より大きなｙを有している。ひいては、第一級アミン末端を有するＳＴ1前駆体は、一般的には、第二級アミン末端を有するＳＴ1前駆体またはＯＨ末端を有するＳＴ1前駆体よりも反応性が高い。
【０１００】
一連の反応全体または個別の一部の工程を、いずれの溶剤を用いることもなく、またはしかし、溶剤の存在下で行うことは、本発明の範囲内にある。好ましい溶剤は、メトキシプロピルアセテート、ブチルアセテート、トルエンのような、典型的なラッカー溶剤である。アルコール、例えば、エタノール、２−プロパノール、１−ブタノール、２−ブタノール、１−メトキシ−２−プロパノールのようなプロトン性溶剤、または高次のエチレンオキサイド誘導体もしくはプロピレンオキサイド誘導体の中での反応もまた、有利であり得る。
【０１０１】
さらに、本発明は、式（５）：
【化４０】
2011518894.tif 000041
（式中、Ｒ、Ｒ1、Ｒ2、およびＳＴ3は先に定義したとおりであり、Ｘは脱離基である）の少なくとも１つの化合物、式（２）：
【化４１】
2011518894.tif 000042
（式中、ＳＴ2およびＲ5は先に定義したとおりであり、ｐ＝２または３である）の少なくとも１つの化合物、および式（３）：
【化４２】
2011518894.tif 000043
（式中、ＳＴ1は先に定義したとおりであり、ｑ＝２〜１０である）の少なくとも１つの化合物を含む本発明の化合物を形成するために適している、反応性組成物に関する。
【０１０２】
この反応性組成物においては、Ｙは、好ましくはＮＲ6であり、（式中、Ｒ6は先に定義したとおりであり、好ましくは水素である）。
【０１０３】
この反応性組成物は、単一成分系または多成分系として、特に二成分系として配合され得る。これに関しては、すでに先に記載したように、場合によって、ポリイソシアネートのような他の反応性成分を、特に、その後の架橋または鎖の伸長のために、この反応性組成物に加えることが可能である。
【０１０４】
本発明はさらに、上記反応性組成物を硬化させることによって得ることができる硬化組成物に関する。反応性組成物の硬化は、特に、繊維、およびプラスチック、金属などの堅い表面のような基体上にコーティングを施すために行われる。硬化は、室温（２０℃）から約２５０℃までの温度で起こり得る。この様式で、熱可塑性、弾性、またはデュロプラスチック成形品あるいはシーラントを調製することもまた可能である。
【０１０５】
好ましくは、特に、第四級アンモニウム基と、好ましくは、シロキサン単位とを含むブロックコポリマーのような本発明の化合物は、硝子、セラミック、タイル、プラスチック表面、金属表面、ラッカー表面、特に、船の船体および車体のような堅い表面の処理ならびに仕上げにおいて、特にまた、自動洗車機用の乾燥剤配合物において、好ましくは、スチール、アルミニウム、硝子、エポキシ樹脂、ポリアミドのような他の物質に対するシリコーンエラストマーの接着用接着剤またはプライマーとして、過酸化物に触媒される架橋およびＰｔに触媒される架橋をベースとする炭化水素系ポリマーおよびシリコーン系のエラストマーシステム用の改質剤（例えば、低温耐衝撃性改質剤および極性改質剤）として、使用することができる。
【０１０６】
さらに、ポリカーボネート−ポリオルガノシロキサンおよび／またはポリウレタン−ポリオルガノシロキサン化合物は、好ましくは、接着剤およびシーラントの構成成分として、ケーブル用シース（ケーブル用コーティング）、チューブ、ガスケット、キーボード・マットのような熱可塑性エラストマー用の基本材料として、選択的気体透過性膜などの膜に、使用することができる。本発明のコポリマーの別の使用は、防汚、固着防止コーティング、組織適合性コーティング、難燃性コーティングのようなコーティング、ならびに生体適合性材料である。
【０１０７】
これらは、コーティング剤として、化粧品、ボディケア製品、塗料添加剤、洗剤における補助物質、消泡配合物、および織物の加工に、かつ樹脂の改質またはビチューメンの改質に役立ち得る。
【０１０８】
他の使用としては、電子部品用のパッケージング材料、絶縁材、または遮蔽材、飛行機、船、自動車のような結露水の形成を伴う空洞の中のシーリング材、清浄剤、洗剤、もしくはケア用製品用の添加剤、ボディケア製品用の添加剤として、木材、紙、およびボール紙用のコーティング材として、離型剤として、コンタクトレンズのような医学的用途における生体適合性材料として、織物繊維もしくは織布用のコーティング材として、例えば革または毛皮のような天然の生地用のコーティング材として、膜用の材料として、ならびに、光活性システム用、例えば、リソグラフィープロセス、光学データ記録、または光学データ伝送用の材料としての使用が挙げられる。
【０１０９】
本発明のさらに好ましい実施形態において、粘性調節剤、帯電防止剤、洗浄前、洗浄の間および洗浄後の織物繊維処理のための織物繊維用の柔軟剤、毛髪、綿繊維およびポリエステル繊維およびポリアミド繊維ならびに交織織物などの合成繊維のような天然繊維および合成繊維を改質する薬剤、織物仕上げ剤および洗濯用界面活性剤および洗浄製品などの洗濯洗剤含有の配合物の製造において、本発明のポリカーボネート−ポリオルガノシロキサンおよび／またはポリウレタン−ポリオルガノシロキサン化合物の使用に関し、また、過酸化物によって架橋し、またはヒドロシリル化（白金触媒）によって架橋して、エラストマーを形成することができ、気体、液体などの拡散調節のための表面特性のを改変し、またはシリコーンエラストマーを、膨張挙動を改変するシリコーンゴム用混合成分の使用に関する。
【０１１０】
本発明はさらに、本発明のポリカーボネート−ポリオルガノシロキサンおよび／またはポリウレタン−ポリオルガノシロキサン化合物を含む新規の洗濯洗剤配合物、化粧品配合物、繊維処理用配合物に関する。
【０１１１】
さらに、これらは、繊維の処理用の特定の薬剤において（特に、陰イオン性界面活性剤、非イオン性界面活性剤、および陽イオン性界面活性剤を含む洗濯洗剤配合物において）、特に織物の形態の、綿、ウール、ポリエステル系およびポリアミド系合成繊維のような天然繊維および合成繊維の処理に使用することができる。ここでは、本発明の化合物は、洗濯洗剤に直接組み込むことができ、実施中の洗浄プロセスに、または洗浄プロセスに続いて、個別に加えるようにすることもできる。ここでは、処理された物質には、シリコーンに特徴的な柔らかさがもたらされ、弾力性が改善され、しわになりにくく、一方では、許容される親水性も与えられる。
【０１１２】
これらはまた、特に、繊維および織物の洗浄後の、陽イオン性界面活性剤をベースとする個別の柔軟化システムの構成成分として作用することができ、織物のしわを防ぎ、またはしわを伸ばすためのアイロン助剤（ironing aid）およびアイロン剤（ironing agent）として作用することもできる。
【０１１３】
これらはさらに、繊維の仕上げに、例えば、特に、織物の形態の綿、ウール、ポリエステル系およびポリアミド系の合成繊維、紙、および木材の最初の仕上げならびに処理に使用することができる。
【０１１４】
さらに、これらは、毛髪および皮膚の処理のための化粧品システムにおいても有利に使用することができる。
【０１１５】
本発明の化合物についての好ましい応用分野は、例えば、化粧品配合物をベースとする溶液、混合物、エマルション、およびマイクロエマルションである。
【０１１６】
上記化合物は、様々な粘度を有する本発明の適切な化粧品配合物の製造のための原料として、液体、クリーム、またはペーストの形態で、純物質、溶液、混合物、エマルション、またはマイクロエマルションとして使用することができる。先行技術によりそれ自体が既知であり、または共補助剤として知られている以下で定義されるカテゴリー２のシリコーンコンディショナーとこれらを区別するために、本発明の化合物は、本明細書中以後、カテゴリー１のシリコーンと呼ばれる。
【０１１７】
基体の処理用の配合物を調製するための方法には、例えば、以下の工程が含まれる：
ａ）本発明の化合物から、溶液、混合物、またはエマルションの形態でプレ混合物を生じさせる工程、および
ｂ）プレ混合物ａ）を使用し、さらには場合によってさらなる界面活性剤、補助物質、および他の添加剤を加えて別の混合物を生じさせ、または、構成成分を撹拌装置、溶解装置、ニーダー、ポンプ、ミキシングスクリュー、ミキシングノズル、低圧および高圧乳化デバイスを用いて混合することで、工程ａ）および工程ｂ）を組み合わせることによって別の混合物を生じさせる工程。
【０１１８】
これらのプロセスは、上記のように、例えば、適切な容器、装置、または混合デバイスの中での任意の形態の撹拌のような、当該分野で既知の機械および装置（Ullmann's Enzyklopadie）を使用して達成される。
【０１１９】
全ての構成成分を直接混合することが可能である。
【０１２０】
しかし、プレ混合物の調製が好ましい。なぜなら、これにより、より早くより良好な分布がもたらされるからであり、これは部分的に不可欠である。なぜなら、様々な物質のグループが、別の方法では互いに適切に混合または乳化または分散され得ず、あるいはこれに相当の労力が必要であるからである。適切なプレ混合物または中間混合物は、好ましくは、溶液、ペースト、クリームの形態、またはエマルションもしくは分散液などの他の形態の混合物であってよい。１０ｎｍ〜２００ｎｍの平均粒径を有するマイクロエマルションの製造と使用が、化粧品配合物においては特に好ましい。本発明の配合物は、例えば、ヘアトリートメント用のような、異なる投与形態として製造され得る。好ましくは、本発明のポリシロキサン化合物を含む組成物は、例えば、ヒトおよび動物の毛髪または皮膚のようなケラチン含有の基体の処理のための化粧品配合物として、アルコール溶液または多価アルコール溶液として、あるいはエマルションとして使用される。製造の際に使用される原材料、補助物質、および混合方法に応じて、透明な、不透明な、および白色の配合物が得られる。
【０１２１】
溶液、プレ混合物、および混合物の組成
本発明にしたがって溶液および混合物を調製するためには、アルコール溶剤および多価アルコール溶剤、ならびにそれらの水との混合物、油を含む一般的なシリコーン（特に、ポリジメチルシロキサン）、ならびに溶剤および／または油を含む物質および／またはシリコーンの二成分混合物および三成分混合物が、好ましくは適している。この場合、特に好ましい溶剤は、エタノール、イソプロパノール、エチレングリコール、およびエチレングリコールエーテル、ポリエチレングリコールおよびそれらのエーテル、プロピレングリコールおよびプロピレングリコールエーテル、ポリプロピレングリコールおよびそれらのエーテル、およびグリセリン、ならびにそれらの混合物である。特に好ましい油様の物質としては、鉱油製品、ならびに植物、動物、および合成由来の油およびそれらの混合物が挙げられる。特に好ましいシリコーンとしては、例えば、（ＩＮＣＩにしたがうと）シクロメチコン、シクロテトラシロキサン、シクロペンタシロキサン、シクロヘキサシロキサン、２５℃で０．６５ｍＰａ．ｓ〜６０，０００，０００ｍＰａ．ｓの粘度の範囲を有するジメチコン、２５℃で１０ｍＰａ．ｓ〜６０，０００，０００ｍＰａ．ｓの粘度の範囲を有するジメチコノール（本発明の化合物の定義には該当しない（以下の定義を参照のこと））のような、環状および直鎖のポリジメチルシロキサンならびにそれらの混合物が挙げられる。
【０１２２】
好ましい溶液および混合物は、重量％で以下の組成を有する：
溶液または混合物：
０．１％〜９９．９％の本発明のポリカーボネート−ポリオルガノシロキサンおよび／またはポリウレタン−ポリオルガノシロキサン化合物
０．１％〜９９．９％の溶剤および／または油および／またはシリコーン、ならびに／あるいは水
本発明のポリカーボネート−ポリオルガノシロキサンおよび／またはポリウレタン−ポリオルガノシロキサン化合物のエマルションの組成：
エマルションを調製するためには、水と、非イオン性、陽イオン性、および両性界面活性剤、ならびに界面活性剤の混合物が一般的には使用される。さらに、エマルションには、例えば、無機および有機の酸、塩基、および緩衝液、塩、増粘剤、例えば「キサンタンゴム」のようなエマルション用の安定剤、保存剤、泡安定剤、消泡剤のような補助物質と、例えばアルコール（エタノール、イソプロパノール、エチレングリコール、ポリエチレングリコール、プロピレングリコール、ポリプロピレングリコール、グリコールエーテル、およびグリセリン、ならびにそれらの混合物）のような溶剤が含まれ得る。
【０１２３】
エマルションにおいて使用される本発明のポリカーボネート−ポリオルガノシロキサンおよび／またはポリウレタン−ポリオルガノシロキサン化合物自体もまた、エマルションの調製において乳化剤として作用する。
【０１２４】
化粧品配合物の製造に好ましく使用できる好ましいエマルションは、例えば、組成物の全量に対して以下の重量％の構成成分からなる：
１０％〜５０％の本発明のポリカーボネート−ポリオルガノシロキサンおよび／またはポリウレタン−ポリオルガノシロキサン化合物、
１％〜３５％の界面活性剤、
０％〜１０％の補助物質、
０％〜２０％の溶剤、
１００％になるように水を加える。
【０１２５】
化粧品配合物、織物および他の繊維様基体の仕上げ、または堅い表面のコーティングのためのマイクロエマルション：
高い有効含有量（active content）で本発明のポリカーボネート−ポリオルガノシロキサンおよび／またはポリウレタン−ポリオルガノシロキサン化合物を有するマイクロエマルションの調製物が特に好ましい。なぜなら、これらは、透明な化粧品配合物を調製できる可能性に加えて、プロセスに関して（コールドプロセス法の）水性配合物に組み込むことが容易であるというさらなる利点がある。上記の溶液および混合物の形態のマイクロエマルションの調製において、本発明のポリカーボネート−ポリオルガノシロキサンおよび／またはポリウレタン−ポリオルガノシロキサン化合物を使用できる可能性がある。エマルション中での本発明のポリカーボネート−ポリオルガノシロキサンおよび／またはポリウレタン−ポリオルガノシロキサン化合物の好ましい有効含有量は、組成物の全量に対して、５重量％〜６０重量％、特に好ましくは、１０重量％〜５０重量％である。
【０１２６】
特に好ましいマイクロエマルションは、マイクロエマルションの全量に対して重量％で、以下の構成成分からなるが本発明を限定するものではない。
２０％〜８０％の本発明のポリカーボネート−ポリオルガノシロキサンおよび／またはポリウレタン−ポリオルガノシロキサン化合物
０％〜３５％の界面活性剤
０％〜１０％の補助物質
０％〜２０％の溶剤
１００％になるように水を加える。
【０１２７】
本発明の別の主題は、化粧品配合物における、本発明のポリカーボネート−ポリオルガノシロキサンおよび／またはポリウレタン−ポリオルガノシロキサン化合物を用いて調製された溶液、混合物、あるいはエマルションの使用である。
【０１２８】
これらの化粧品配合物は、予め調製された溶液またはエマルションを使用して調製される。しかし、これらはまた、個々の構成成分から直接調製することもできる。
【０１２９】
化粧品配合物：
化粧品配合物としては、例えば以下が挙げられる：
例えば、「２−ｉｎ−１」シャンプー、「ボディーシャンプー（body wash）」、およびヘアコンディショナーのような、洗浄の間および洗浄後または染色後の毛髪の処理、あるいは、ブリーチ、巻き毛にする、もしくは直毛にする前の毛髪の処理のための、いわゆる「洗い流す（rinse-off）」製品、ならびに、ヘアトニック、ケアクリーム、スタイリングクリーム、ヘアジェル、ヘアスタイリング製品、ヘアセット製品、ヘアスプレー、ポンプスプレー、ブロー仕上げ用組成物、およびブロー乾燥セット用組成物のような、いわゆる「洗い流さない（leave-in）」製品。これらの配合物にはさらにまた、毛髪染剤も含まれる。これは、得られる着色結果の洗浄に対する耐性にしたがって３つのタイプ−永久的な毛髪染剤、半永久的な毛髪染剤、および一時的な毛髪染剤に分類することができる。この場合の用語「毛髪」には、全てのケラチン含有繊維、特に、ヒトの毛髪が含まれる。毛髪染剤には、本発明のポリカーボネート−ポリオルガノシロキサンおよび／またはポリウレタン−ポリオルガノシロキサン化合物に加えて、例えば、従来のシリコーン、界面活性剤、補助物質および染料が含まれる。これらの成分のそれぞれは、単独で使用することも、またはさらなる成分と組み合わせて使用することもいずれも可能であり、配合物において、毛髪のボリュームを増大させるように、櫛どおりおよびつや出しを容易にするために、そして染色された、例えば、ヒトおよび動物の毛髪のような染色されたケラチン含有の基体からの色の洗い出しを少なくするように作用するさらなる機能を示し、そして、これには、本発明の少なくとも１つのポリウレタンおよびポリエステル−ポリシロキサン化合物が含まれる。
【０１３０】
化粧品配合物に関連して記載される省略形は、ＩＮＣＩ（The Cosmetic, Toiletry and Fragrance Association, Washington D.C.）の中で説明されている。
【０１３１】
本明細書中に含まれるシリコーンは、本発明のポリカーボネート−ポリオルガノシロキサンおよび／またはポリウレタン−ポリオルガノシロキサン化合物に加えて、例えば以下のものを含む：
例えば以下のような、２５℃で０．６５ｍＰａ．ｓ〜２００，０００，０００ｍＰａ．ｓの粘度を有する環状、直鎖、および分岐のポリジメチルシロキサンならびにそれらの混合物：オクタオルガノシクロテトラシロキサン、オクタメチルシクロテトラシロキサン、デカオルガノシクロペンタシロキサン、およびドデカオルガノシクロヘキサシロキサン。ここでは、有機残基は、好ましくは、GE Bayer Silicones製のＳＦ  １１７３、ＳＦ  １２０２、ＳＦ  １２１７、ＳＦ  １２０４、およびＳＦ  １２５８のようなメチル、Ｂａｙｓｉｌｏｎｅ  Ｍオイル（Ｍ３〜Ｍ２，０００，０００）のようなジメチコン、Momentive Performance Materials製のＳＥ  ３０、ＳＦ  １２１４、ＳＦ  １２３６、ＳＦ  １２７６、およびＣＦ  １２５１、ならびに、Ｂａｙｓｉｌｏｎｅ接着剤（Baysilone abhesive）ＺＷＴＲ／ＯＨのようなジメチコノール、すなわち、Momentive Performance Materials製のＳｉＯＨ末端を有するポリジメチルシロキサン２〜２０ｋＰａ．ｓ、ならびにDow CorningからのＤＣ  １５０１およびＤＣ  １５０３。
【０１３２】
本発明のポリカーボネート−ポリオルガノシロキサンおよび／またはポリウレタン−ポリオルガノシロキサン化合物のエマルションとの組み合わせにおける、例えば、Momentive Performance Materials製のＳＭ  ２１６９、ＳＭ  ２７８５、ＳＭ  ５５５、ＳＭ  ２１６７、およびＳＭ  ２１１２のような、非イオン性、陰イオン性、および陽イオン性エマルションの形態における上記ポリジメチルシロキサンの使用、ならびに／あるいは本発明のポリカーボネート−ポリオルガノシロキサンおよび／またはポリウレタン−ポリオルガノシロキサン化合物を有する上記ポリジメチルシロキサンの混合物および溶液の使用が、この場合に特に好ましい。なぜなら、今日までに知られているアミノ官能性シリコーンについての文献にすでに広く記載されているように、ヘアケア製品の特定の特性が、これらの組み合わせによって導かれ得るからである（WO 99/44565、WO 99/44567、WO 99/49836、WO 99/53889、WO 97/12594、US 6,028,031、EP 0811371、WO 98/18443、WO 98/43599、およびUS 2002/0182161）。
【０１３３】
固体のシリコーン、例えば、Momentive Performance Materials製のＳＲ  １０００のようないわゆるＭＱ樹脂、ならびに上記シリコーンおよび例えばイソドデカンのような脂肪族溶剤などの溶剤中のその溶液もまた適している。
【０１３４】
アルキル−、アリール−、アリールアルキル−、フェニル−、フルオロアルキル−、およびポリエーテル−修飾シリコーンのようなオルガノ官能性シリコーン例えば、Momentive Performance Materials製のタイプＳＦ  １６３２、ＳＦ  １６４２、ＳＦ  １５５５、Ｂａｙｓｉｌｏｎｅ  ＣＦ  １３０１、Ｂａｙｓｉｌｏｎｅ  ＰＫ  ２０、ＦＦ  １５７、ＳＦ  １１８８Ａ、ＳＦ  １２８８、およびＳＦ  １３８８もまた適している。
【０１３５】
界面活性剤：
化粧品配合物の成分としての界面活性剤は、A. Domsch: Die kosmetischen Praparate, Verlag fur Chem. Industrie, 第４版, 1992, Kosmetikjahrbuch 1995, Verlag fur chemische Industrie, 1995, およびH. Stache, Tensidtaschenbuch, 第２版, Carl Hanser Verlag, 1981に記載されている。
【０１３６】
陰イオン性界面活性剤：
例として、それだけに限定されないが、以下の陰イオン性界面活性剤が配合物の構成成分として適している：
アルキル硫酸塩、アルキルエーテル硫酸塩、アルカリール硫酸塩（alkaryl sulfate）、オレフィンスルホン酸塩、アルキルアミドエーテル硫酸塩、イセチオン酸アシル、グルタミン酸アシル、アルキルエーテルカルボン酸塩、メチルタウリドおよびタウリド、サルコシド、スルホサクシネート、タンパク質−脂肪酸縮合物、アルキルホスフェート、およびアルキルエーテルホスフェート。遊離酸、ならびにそれらのアルカリ金属塩、ならびにマグネシウム、アンモニウム、およびモノ−、ジ−、およびトリエタノールアミン塩をこの場合に使用することができる。
【０１３７】
アルキル基およびアシル基は、典型的には、８個〜１８個のＣ原子を含み、不飽和であり得る。アルキルエーテル硫酸塩、アルキルアミドエーテル硫酸塩、アルキルエーテルカルボン酸塩、およびアルキルエーテルリン酸塩には、１個〜１０個のエチレンオキサイド単位またはプロピレンオキサイド単位、あるいは、エチレンオキサイド単位とプロピレンオキサイド単位との組み合わせが含まれ得る。
【０１３８】
両性界面活性剤：
限定ではないが、例として、以下の両性界面活性剤が配合物の構成成分として適している：
アルキルベタイン、アルキルアミドベタイン、スルホベタイン、アセテートおよびジアセテート、イミダゾリン、プロピオネート、およびアルキルアミンオキサイド。
【０１３９】
この場合、アルキル基およびアシル基には８個〜１９個のＣ原子が含まれる。
【０１４０】
非イオン性界面活性剤：
例として、それだけに限定されないが、以下の非イオン性界面活性剤が配合物の構成成分として適している：
アルキルエトキシレート、アリールエトキシレート、エトキシル化エステル、ポリグリコールアミド、ポリソルベート、グリセロール−脂肪酸エトキシレート、アルキルフェノールポリグリコールエーテル、および例えば、アルキルグリコシドのような糖界面活性剤。
【０１４１】
陽イオン性界面活性剤：
陽イオン性界面活性剤の場合には、純粋な陽イオン性界面活性剤と陽イオン性ポリマーと区別される。
【０１４２】
純粋な陽イオン性界面活性剤：
例として、それだけに限定されないが、以下の非イオン性界面活性剤が配合物の構成成分として適している：
モノアルキルクワット、ジアルキルクワット、トリアルキルクワット、テトラアルキルクワット、ベンジルアンモニウム塩、ピリジン塩、アルカノールアンモニウム塩、イミダゾリン塩、オキサゾリン塩、チアゾリン塩、アミンオキサイドの塩、およびスルホン塩。ここでは、用語「クワット」は、少なくとも１つの第四級アンモニウム基の存在を意味する。
【０１４３】
陽イオン性ポリマー：
特に、「２−ｉｎ−１」シャンプーについては、陽イオン修飾ポリマーもまた、純粋な陽イオン性界面活性剤に加えて使用される。これらのポリマーについての包括的な説明は、US 5,977,038およびWO 01-41720 A1に記載されている。陽イオン性ポリアクリルアミド、陽イオン性タンパク質誘導体、ヒドロキシアルキルセルロースエーテル、および陽イオン性グア誘導体がこの場合に好ましい。ＣＴＦＡの名称グアヒドロキシプロピルトリモニウムクロリドを有する陽イオン性グア誘導体が特に好ましい。これらのタイプは、商標名Ｃｏｓｍｅｄｉａ  Ｇｕａｒ  Ｃ  ２６１（Henkel）、Ｄｉａｇｕｍ  Ｐ  ５０７０（Diamalt）、およびRhodia製のＪａｇｕａｒ  ＣタイプおよびＪａｇｕａｒ  ＥＸＣＥＬとして入手することができる。
【０１４４】
補助物質：
特に化粧品配合物の成分としての補助物質は、A. Domsch, Die kosmetischen Praparate, Verlag fur Chem. Industrie, 第4版, 1992；およびKosmetikjahrbuch 1995, Verlag fur Chemische Industrie, 1995に記載されている。
【０１４５】
例として、それだけに限定されないが、以下の補助物質が配合物の構成成分として適している：
無機および有機の酸、塩基、および緩衝液、塩、例えば、エタノール、イソプロパノール、エチレングリコール、ポリエチレングリコール、プロピレングリコール、ポリプロピレングリコール、グリコールエーテル、およびグリセロールのようなアルコール、増粘剤、例えば、キサンタンゴムのようなエマルション用の安定剤、再油状化剤（re-oiling agent）、保存剤、泡安定剤、脱泡剤、例えば、グリコールジステアレートおよびチタンジオキサイドのような真珠光沢（pearlescent）および不透明化剤、コラーゲン加水分解物、ケラチン加水分解物、シルク加水分解物、例えば、亜鉛ピリチオン、サリチル酸、二硫化セレン、硫黄およびタール調製物のようなフケ防止活性のある化合物、ポリマー性乳化剤、ビタミン、染料、ＵＶフィルター、ベントナイト、香油、香料、スタイリング用ポリマー、保湿剤、植物抽出物、ならびにさらなる天然のまたは天然のものと同じ原料。
【０１４６】
ヒトおよび動物の毛髪のようなケラチン含有基体のケアおよび処理用の化粧品配合物への油溶性および水溶性ＵＶフィルター（日焼け防止組成物）またはＵＶフィルターの組み合わせの添加によって、染料の分解、したがって、ＵＶ照射による染色されたケラチン含有の基体の漂白および退色を、決定的に少なくすることができ、またさらには完全に防ぐことができることが知られている。
【０１４７】
毛髪染剤用の成分：
毛髪染剤用の染料および他の成分は、A. Domsch, Die kosmetischen Praparate, Verlag fur chem. Industrie, 第４版, 1992に記載されている。染料は、Ordinance on cosmetic agents （Cosmetics Ordinance）, Bundesgesetzblatt 1997, part I p. 2412, .sctn. 3およびannex 3、ならびにEuropean Community（EC）Directive, 76/68/EEC, annex IVに記載されている。
【０１４８】
以下では、毛髪染剤は、永久的な毛髪染剤、半永久的な毛髪染剤、および一時的な毛髪染剤に分類される。
【０１４９】
永久的な毛髪染剤：
毛髪を数回（１０回を超えて）洗浄してもなお洗い出されない永久的な着色は、過酸化水素による酸化条件下での染料前駆体間での化学反応によって形成される。対応する構成成分の混合物が、この場合に得ることができる色の結果を決定する。
【０１５０】
前駆体の場合には、酸化基剤（顕色剤）とカップリング成分（改質剤）と区別される。
【０１５１】
酸化基剤：
例として、それだけに限定されないが、以下の酸化基剤が配合物の構成成分として適している：
ｍ−およびｐ−フェニレンジアミン（ジアミノベンゼン）、そのＮ−置換誘導体および塩、ｏ−フェニレンジアミンのＮ−置換誘導体、ｏ−、ｍ−、およびｐ−トルオイレンジアミン（toluoylenediamine）（メチル−ジアミノベンゼン）、そのＮ−置換誘導体および塩、ｐ−アミノジフェニルアミンおよびその塩酸塩および硫酸塩、ｏ−、ｍ−、およびｐ−アミノフェノールおよびその塩酸塩、２，４−ジアミノイソスルフェート（４−メトキシ−ｍ−フェニレンジアミンスルフェート）、ｏ−クロロ−ｐ−フェニレンジアミンスルフェート、ピクラミン酸（２，４−ジニトロ−６−アミノフェノール）および２，４−ジニトロ−１−ナフトールスルホン酸およびそのナトリウム塩。
【０１５２】
カップリング成分：
例として、それだけに限定されないが、以下のカップリング成分が配合物の構成成分として適している：
ヒドロキノン（１，４−ジヒドロキシベンゼン）、レゾルシノール（１，３−ジヒドロキシベンゼン）、ピロカテコール（１，２−ジヒドロキシベンゼン）、α−ナフトール（１−ヒドロキシナフタレン）、ピロガロール（１，２，３−トリヒドロキシベンゼン）、および２，６−ジアミノピリジン。
【０１５３】
酸化基剤およびカップリング成分は、従来、水中油型エマルションの中に界面活性剤とともに組み込まれてきたが、単純な溶液またはシャンプーもまた配合物として知られている。これらの配合物にはさらに、例えば、亜硫酸ナトリウム、亜ジチオン酸ナトリウム、アスコルビン酸、またはチオグリコール酸のような酸化防止剤が、前駆体を安定化させるために含まれ、例えば、アンモニアのようなアルカリ性物質で、ｐＨ値が８〜１２の間（好ましくは、９〜１１）に調整される。湿潤剤としての界面活性剤、重金属のための錯化剤、アンモニアのにおいを消すための香料、毛髪の手触りを改善するためおよび毛髪を保護するためのコンディショナー、およびエタノール、エチレングリコール、グリセロール、またはベンジルアルコールのような溶剤もさらに添加される。
【０１５４】
永久的な毛髪染剤は、典型的には、上記の着色溶液、クリーム、またはシャンプーと、顕色剤溶液とを含む２成分系として提供される。この場合、顕色剤溶液には、６％〜１２％の過酸化水素が含まれ、着色成分を含む配合物の構成成分も場合によって添加され得る。しかし、過酸化物溶液は、この場合は十分に安定化されなければならない。
【０１５５】
半永久的な毛髪染剤：
半永久的な着色は、シャンプーを用いた６回〜１０回の洗浄の間、着色が持続するように開発されている。原則としてニトロ、アゾ、およびアントラキノン染料のグループに属するいわゆる直接染料が、この場合に使用される。これらの染料は、毛髪に浸透するのに十分に小さい。典型的に使用される配合物は、溶液、クリーム、シャンプー、またはエアゾール式の泡である。この組成物は、永久的な毛髪の着色用である着色成分を含む配合物に似ている。
【０１５６】
一時的な毛髪染剤：
半永久的な毛髪染剤とは対照的に、一時的な着色はティント（tint）とも呼ばれ、これには、毛髪の内部には浸透できないより大きな染料分子が含まれる。これらは、１回〜６回の洗浄の間、着色が持続するように開発されている。アゾ染料および塩基性染料およびアジン染料およびチアジン誘導体が、この場合に、典型的に使用される。半永久的な毛髪染剤および永久的な毛髪染剤に関する記述は、複数の配合物の組成に適用される。毛髪染剤の染料および他の成分は、A. Domsch, Die kosmetischen Praparate, Verlag fur chem. Industrie, 第４版, 1992に記載されている。染料は、Ordinance on cosmetic agents（Cosmetics Ordinance）, Bundesgesetzblatt 1997, part I p. 2412, .sctn. 3およびannex 3、ならびにEuropean Community（EC）Directive, 76/68/EEC, annex IVに記載されている。
【０１５７】
個々の機能的活性のある化合物が個々の化合物として存在し得、また、このカテゴリーのいくつかの化合物の混合物としても存在し得る以下の配合法は、本発明を限定するものではないが、化粧品配合物における本発明のポリカーボネート−ポリオルガノシロキサンおよび／またはポリウレタン−ポリオルガノシロキサン化合物を含む混合物の使用に特に有利であることが明らかにされている。
【０１５８】
毛髪のケアおよびコンディショニング用の、本発明の典型的なシャンプー配合物は、本発明を限定するものではないが、全配合物に対してそれぞれの場合において重量％で、以下の構成成分が含まれる：
０．０１％〜１０％の本発明のポリカーボネート−ポリオルガノシロキサンおよび／またはポリウレタン−ポリオルガノシロキサン化合物
２％〜１５％の陰イオン性界面活性剤
０％〜１０％の両性界面活性剤
０％〜１５％の非イオン性界面活性剤
０％〜１０％の陽イオン性界面活性剤
０％〜１０％のシリコーンコンディショナー（共補助剤（co-adjuvants））
０％〜１０％の補助物質
１００％になるように水を加える。
【０１５９】
特定のシャンプー用配合物は、本発明を限定するものではないが、重量％で以下の構成成分が含まれる：
０．１％〜１２％の本発明のポリカーボネート−ポリオルガノシロキサンおよび／またはポリウレタン−ポリオルガノシロキサン化合物
１％〜３５％のラウリルもしくはラウレス硫酸ナトリウムまたはアンモニウム（２０％〜３０％）
１％〜６％のココアミドプロピルベタイン（２５％〜３５％）
０％〜３％のグアヒドロキシプロピルトリモニウムクロリド
０％〜５％のポリクオタニウム−１０
０％〜１２％のシリコーンコンディショナー（共補助剤）
０．０１％〜１％のＥＤＴＡ二ナトリウム
０．０１％〜１％のフェノキシエタノール（Phenoxyethynol）（および）メチルパラベン（および）ブチルパラベン（および）エチルパラベン（および）プロピルパラベン
０％〜１％の芳香剤（香料）
０％〜１％の染料
０％〜１％のクエン酸
０％〜２％の塩化ナトリウム
１００％になるように水を加える。
【０１６０】
毛髪のケアおよびコンディショニング用の、本発明の典型的なヘアコンディショナーは、本発明を限定するものではないが、重量％で以下の構成成分が含まれる：
０．１％〜１５％の本発明のポリカーボネート−ポリオルガノシロキサンおよび／またはポリウレタン−ポリオルガノシロキサン化合物
０％〜１０％の両性界面活性剤
０．１％〜１５％の非イオン性界面活性剤
０％〜１０％の陽イオン性界面活性剤
０％〜１５％のシリコーンコンディショナー（共補助剤）
０％〜２０％の補助物質
１００％になるように水を加える。
【０１６１】
ヘアコンディショナーの特定の組成物は、本発明を限定するものではないが、重量％で以下の構成成分が含まれる：
０．５％〜１５％の本発明のポリカーボネート−ポリオルガノシロキサンおよび／またはポリウレタン−ポリオルガノシロキサン化合物（非イオン性乳化剤を含む水中の４３．５％のエマルションとして）
０％〜１５％のシリコーンコンディショナー（共補助剤）
０％〜１０％のセトリモニウムクロリド（２５％〜３５％）
０％〜３％のグアヒドロキシプロピルトリモニウムクロリド
１％〜１０％のセテアリルアルコール
０％〜１０％のグリセリン
０．０１％〜１％のフェノキシエタノール（Phenoxyethynol）（および）メチルパラベン（および）ブチルパラベン（および）エチルパラベン（および）プロピルパラベン
０％〜１％の芳香剤（香料）
０％〜１％の染料
０％〜１％のクエン酸
１００％になるように水を加える。
【０１６２】
毛髪のケアおよびコンディショニング用の、本発明の典型的なヘアケアトリートメントは、本発明を限定するものではないが、重量％で以下の構成成分が含まれる：
０．４％〜２０％の本発明のポリカーボネート−ポリオルガノシロキサンおよび／またはポリウレタン−ポリオルガノシロキサン化合物
０％〜１５％の非イオン性界面活性剤
０％〜１０％の陽イオン性界面活性剤
０％〜２０％のシリコーンコンディショナー（共補助剤）
０％〜２０％の補助物質
１００％になるように水を加える。
【０１６３】
特定のヘアケアトリートメント（ただしこれは、本発明を限定するものではない）には、重量％で以下の構成成分が含まれる：
１％〜２０％の本発明のポリカーボネート−ポリオルガノシロキサンおよび／またはポリウレタン−ポリオルガノシロキサン化合物（非イオン性乳化剤を含む水中の４３．５％のエマルションとして）
０．５％〜１０％のステアリルアルコール（および）ステアレス−７（および）ステアレス−１０
０％〜２０％のシリコーンコンディショナー（共補助剤）
０％〜１０％のセトリモニウムクロリド（２５％〜３５％）
０％〜３％のグアヒドロキシプロピルトリモニウムクロリド
０％〜５％のジメチコン
０％〜５％のパラフィンオイル
１％〜１０％のステアリルアルコール
０％〜１０％のグリセリン
０．０１％〜１％のフェノキシエタノール（Phenoxyethynol）（および）メチルパラベン（および）ブチルパラベン（および）エチルパラベン（および）プロピルパラベン
０％〜１％の芳香剤（香料）
０％〜１％の染料
０％〜１％のクエン酸
０％〜２％の塩化ナトリウム
１００％になるように水を加える。
【０１６４】
極めて特別なヘアケアトリートメント（ただしこれは、本発明を限定するものではない）には、重量％で以下の構成成分が含まれる：
２％〜５％の本発明のポリカーボネート−ポリオルガノシロキサンおよび／またはポリウレタン−ポリオルガノシロキサン化合物（非イオン性乳化剤を含む水中の４３．５％のエマルションとして）
０％〜５％のシリコーンコンディショナー（共補助剤）
０％〜２％のセトリモニウムクロリド（２５％〜３５％）
０．５％〜５％のグリセリン
０．２５％〜２．５％のプロピレングリコール
０．０５％〜０．２％の芳香剤
０．１％〜０．５％のポリソルベート２０
１００％になるように水を加える。
【０１６５】
一時的、半永久的、または永久的な毛髪の着色、毛髪のケアおよびコンディショニングのための、本発明の典型的な染料を含む配合物（ただしこれは、本発明を限定するものではない）には、重量％で以下の構成成分が含まれる：
０．１％〜１０％の本発明のポリカーボネート−ポリオルガノシロキサンおよび／またはポリウレタン−ポリオルガノシロキサン化合物
１％〜１０％の所望される毛髪の色に応じた毛髪用の染料前駆体または染料
０％〜１５％の陰イオン性界面活性剤
０％〜１０％の両性界面活性剤
０％〜１０％の非イオン性界面活性剤
０％〜１０％の陽イオン性界面活性剤
０％〜１％の亜硫酸ナトリウム
０％〜５％の緩衝液
０％〜１０％のシリコーンコンディショナー（共補助剤）
０％〜１０％の補助物質
１００％になるように水を加える。
【０１６６】
毛髪の永久的な着色用の、本発明の特定のカラークリーム（ただしこれは、本発明を限定するものではない）には、重量％で以下の構成成分が含まれる：
０．１％〜１０％の本発明のポリカーボネート−ポリオルガノシロキサンおよび／またはポリウレタン−ポリオルガノシロキサン化合物（非イオン性乳化剤を含む水中の２０％のエマルションとして）
１％〜５％の所望される毛髪の色に応じた毛髪用の染料前駆体または染料
２％〜１５％の陰イオン性界面活性剤
０％〜１０％の両性界面活性剤
０％〜１０％の非イオン性界面活性剤
０％〜１０％の陽イオン性界面活性剤
０．１％〜１％の亜硫酸ナトリウム
０．１％〜５％のｐＨ＝８〜１２にするための緩衝液
０％〜１０％のシリコーンコンディショナー（共補助剤）
０％〜１０％の補助物質
１００％にするための水。
【０１６７】
永久的な毛髪の着色のための、本発明の特定の着色溶液は、本発明を限定するものではないが、重量％で以下の構成成分が含まれる：
０．１％〜１０％の本発明のポリカーボネート−ポリオルガノシロキサンおよび／またはポリウレタン−ポリオルガノシロキサン化合物（非イオン性乳化剤を含む水中の２０％のエマルションとして）
１％〜５％の、所望される毛髪の色に応じた毛髪用の染料前駆体または染料
０．１％〜１％の亜硫酸ナトリウム
５％〜１５％のプロピレングリコール
５％〜１５％のアンモニア（２８％）
１０％〜３０％のオレイン酸
５％〜１５％のイソプロパノール
１０％〜３０％のアルカノールアミド
０％〜１０％のシリコーンコンディショナー（共補助剤）
１００％にするための水。
【０１６８】
永久的な毛髪の着色のための、本発明の典型的な顕色剤配合物は、本発明を限定するものではないが、重量％で以下の構成成分が含まれる：
０．１％〜１０％の本発明のポリカーボネート−ポリオルガノシロキサンおよび／またはポリウレタン−ポリオルガノシロキサン化合物
１０％〜３０％の過酸化水素（３０％）
０％〜１５％の陰イオン性界面活性剤
０％〜１０％の両性界面活性剤
０％〜１０％の非イオン性界面活性剤
０％〜１０％の陽イオン性界面活性剤
０％〜５％のｐＨ＝２〜６にするための緩衝液または酸
０％〜１０％のシリコーンコンディショナー（共補助剤）
０％〜１０％の補助物質
１００％にするための水。
【０１６９】
永久的な毛髪の着色のための、本発明の特定の顕色剤クリームは、本発明を限定するものではないが、重量％で以下の構成成分が含まれる：
０．１％〜５％の本発明のポリカーボネート−ポリオルガノシロキサンおよび／またはポリウレタン−ポリオルガノシロキサン化合物（非イオン性乳化剤を含む水中の２０％のエマルションとして）
１０％〜３０％の過酸化水素（３０％）
０％〜５％のシリコーン−コンディショナー（共補助剤）
１％〜１０％のセテアリルアルコール
０．５％〜５％のトリデセス−２カルボキサミドＭＥＡ
０．５％〜５％のセテアレス−３０
０．５％〜５％のグリセリン
０．０５％〜２％のペンテト酸五ナトリウム（ジエチレントリアミン五酢酸五ナトリウム）
０．０５％〜２％のスズ酸ナトリウム
０．０５％〜２％のピロリン酸四ナトリウム
１００％にするための水。
【０１７０】
この場合、本発明の溶液または混合物が、好ましくは、着色された基体または着色される基体の処理、コンディショニング、クレンジング、および／またはケア用のもののような、化粧品配合物の調製に適していることが明らかにされている。
【０１７１】
すなわち、本発明の少なくとも１つのポリカーボネート−ポリオルガノシロキサンおよび／またはポリウレタン−ポリオルガノシロキサン化合物を含む配合物は、特に、繊維状物質および平坦な物質のクレンジング、ケア、およびコンディショニングに使用することができ、これらが着色されている場合には、その初回の塗り（impression）の大部分が維持される。
【０１７２】
本発明の少なくとも１つのポリカーボネート−ポリオルガノシロキサンおよび／またはポリウレタン−ポリオルガノシロキサン化合物を含む配合物は、さらに、ケラチン含有基体のクレンジング、ケア、および処理、およびコンディショニングに役立つ。なぜなら、これらは、ウール用、洗浄用、ならびに／あるいは毛髪のボリュームを増大させるため、ならびに／あるいは櫛どおりおよび／またはつや出しを容易にするため、ならびに／あるいは着色されたケラチン含有基体から、もしくは同時に着色される、例えば、ヒトおよび動物の毛髪のようなケラチン含有基体からの色の洗い出しを減らすためのクレンジング組成物として適しているからである。
【０１７３】
本発明の少なくとも１つのポリカーボネート−ポリオルガノシロキサンおよび／またはポリウレタン−ポリオルガノシロキサン化合物を含む配合物は、さらに、特に、着色操作の前、その間、および／またはその後のケラチン含有繊維あるいは毛髪のクレンジング、ケア、および処理、クレンジング、およびケアに使用することができる。なぜなら、それとともに配合される毛髪染剤により、同時に、柔らかさの改善、および／または湿潤および乾燥時の櫛どおり力の低下、および／またはつやの増加、および／または毛髪のボリュームの増加、および／または、色がついた染色された毛髪からの染料の洗い出しの減少がもたらされるからである。
【０１７４】
柔軟剤配合物
投与形態に関して、一方では、本発明のポリカーボネート−ポリオルガノシロキサンおよび／またはポリウレタン−ポリオルガノシロキサン化合物を、不透明な柔軟剤分散液または柔軟剤エマルションまたは透明なマイクロエマルションもしくは溶液に組み込むことが可能である。
【０１７５】
そのような不透明または透明な配合物についての典型的なさらなる成分は以下である：
−  柔軟剤としての、第四級アンモニウム化合物、好ましくは、アルカン酸エステル単位を含む、第四級アンモニウム化合物
−  配合物の溶解性および透明性を改善するための有機溶剤、好ましくは、以下のような１価および多価アルコール：エタノール、２−プロパノール、エチレングリコール、１，２−プロピレングリコール、へキシレングリコール、ジプロピレングリコール、ならびにジプロピレングリコールモノブチルエーテル、トリプロピレングリコールモノメチルエーテル、ジエチレングリコールジアセテートのような、グリコールおよびオリゴグリコールのエステルおよびエーテル、
−  柔軟剤成分の可溶性（solubilizability）を高めるための、長鎖炭化水素のジオールおよび高級アルコール、例えば、２，２，４−トリメチル−１，３−ペンタンジオール、
−  エマルションの安定化またはマイクロエマルションの調製のための、非イオン形成性界面活性剤、好ましくは、分岐のまたは未分岐のＣ８〜Ｃ４０アルコールのアルコキシレート、およびアルキレンオキサイドの脂肪酸エステル
−  芳香剤
−  粘性調節剤
−  染料
−  保存剤。
【０１７６】
さらなる機能性の成分は、例えば、US 6,376,455に列挙されており、好ましい例はそこから既知である。
【０１７７】
一方、ランドリーフレッシュナーシステム（laundry freshner system）に関して固体担体に本発明のポリカーボネート−ポリオルガノシロキサンおよび／またはポリウレタン−ポリオルガノシロキサン化合物を塗布すること、その後、これらを、清浄化し、および／または柔軟にする織物と、乾燥機の中で接触させることも可能である。担体およびその機能性成分を有するランドリーフレッシュナーシステムは、例えば、US 4,824,582、US 4,808,086、US 4,756,850、US 4,749,596、およびUS 3,686,025から既知である。
【０１７８】
担体を有するそのようなランドリーフレッシュナーシステムについての典型的な成分は以下のものである：
−  調整剤としての、脂肪族アミン、または陰イオン性界面活性剤とのその錯体、
−  柔軟剤としての、第四級アンモニウム化合物、好ましくは、アルカン酸エステル単位を含む第四級アンモニウム化合物、
−  例えば、ソルビタンエステルまたは脂肪アルコールアルコキシレートをベースとする、非イオン形成性柔軟剤、
−  「防汚剤」、例えば、セルロースエーテル、グアゴム、またはテレフタル酸ブロックコポリマーをベースとするもの。
【０１７９】
担体材料は、ランドリーフレッシュナー配合物を取り込み能が十分であり、スポンジ様または多孔性のシート様の材料である。「織りこまれた」および「不織の」材料が使用される。これらは、ウール、綿、サイザル、リネン、セルロースエステル、ポリビニル化合物、ポリオレフィン、ポリアミド、ポリウレタン、およびポリエステルのような、天然あるいは合成のポリマーをベースとする材料である。
【実施例】
【０１８０】
実施例１
１００ｇ（１．０８ｍｏｌ）のグリセリン、２９３．５ｇ（３．２５８ｍｏｌ）のジメチルカーボネート、および１．２ｇのジアザビシクロオクタンを混合し、フラスコの中で８０℃で１６時間、Ｎ2雰囲気下で加熱する。反応の間に、液面の上にある気体空間の温度は６４℃に下がる。
【０１８１】
５０℃／２０ｍｂａｒまでで揮発する全ての成分を取り除く。１２６ｇの黄色の透明な液体が得られる。
【化４３】
2011518894.tif 000044
【０１８２】
実施例２
６０ｇ（０．５０９ｍｏｌ）のグリセロール炭酸塩を、Ｎ2雰囲気下にあるフラスコに入れ、
【化４４】
2011518894.tif 000045
６０℃に加熱する。６９ｇ（０．５０９ｍｏｌ）の塩化クロロ酢酸を、温度が７０℃で横ばいになるように滴下にて添加する。滴下の添加が完了した後、８時間撹拌を行う。
【０１８３】
５０℃／２０ｍｂａｒまでで揮発する全ての成分を取り除く。８９ｇの黄赤色の液体が得られる。
【化４５】
2011518894.tif 000046
強度比  1Ｈ−ＮＭＲ：
−ＣＨ2−Ｃｌ    （２Ｈ）４８
−ＣＨ2ＯＣ（Ｏ）    （２Ｈ）４６
−ＯＣＨ2−    （炭酸塩環  ２Ｈ）４７
−ＯＣＨ−    （炭酸塩環  １Ｈ）２３
【０１８４】
実施例３
Ｎ2雰囲気下にあるフラスコの中で、３．８９（０．０２ｍｏｌ）のグリセロール炭酸塩のクロロ酢酸エステル
【化４６】
2011518894.tif 000047
と１．７２ｇ（０．０１ｍｏｌ）のＮ，Ｎ，Ｎ'，Ｎ'−テトラメチルヘキサンジアミンとを、５１．８ｇのプロピレングリコールモノメチルエーテルに溶解させ、８時間かけて８０℃に加熱する。
【０１８５】
その後、４６．２３ｇ（０．０１ｍｏｌ）の、以下の構造のアミノプロピル置換シロキサン
【化４７】
2011518894.tif 000048
を滴下にて添加し、温度を１０時間かけて１２０℃に上昇させる。
【０１８６】
不透明な褐色の液体が得られる。これには、以下の構造要素を有するポリマーが含まれる。
【化４８】
2011518894.tif 000049
【０１８７】
実施例４
Ｎ2雰囲気下にあるフラスコの中で、３．８９ｇ（０．０２ｍｏｌ）のグリセロール炭酸塩のクロロ酢酸エステル
【化４９】
2011518894.tif 000050
と１．７２ｇ（０．０１ｍｏｌ）のＮ，Ｎ，Ｎ'，Ｎ'−テトラメチルヘキサンジアミンとを、５１．８ｇのプロピレングリコールモノメチルエーテルに溶解させ、８時間かけて８０℃に加熱する。
【０１８８】
その後、２３．１２ｇ（０．００５ｍｏｌ）の、以下の構造式のアミノプロピル置換シロキサン
【化５０】
2011518894.tif 000051
と、３．１７ｇ（０．００５ｍｏｌ）の、以下の構造式のアミノ末端を有するポリエーテルである、Ｊｅｆｆａｍｉｎ  ＥＤ  ６００（Huntsman Corp.）
【化５１】
2011518894.tif 000052
（式中、ａ＋ｃ＝３．６であり、ｂ＝９である）
とを滴下にて添加し、温度を１０時間かけて１２０℃に上昇させる。
【０１８９】
不透明な褐色の液体が得られる。これには、以下の構造要素を有するポリマーが１：１のモル比で含まれる。
【０１９０】
【化５２】
2011518894.tif 000053
（式中、ａ＋ｃ＝３．６であり、ｂ＝９である。）
【０１９１】
実施例５
Ｎ2雰囲気下にあるフラスコの中で、３９．２１（０．０１ｍｏｌ）の以下の構造式のエポキシシロキサン
【化５３】
2011518894.tif 000054
と２ｇ（０．０２ｍｏｌ）のＮ−メチルピペラジンとを、５０．４ｇのプロピレングリコールモノメチルエーテルに溶解させ、８０時間かけて８℃に加熱する。
【０１９２】
その後、３．８９ｇ（０．０２ｍｏｌ）のグリセロール炭酸塩のクロロ酢酸エステル
【化５４】
2011518894.tif 000055
を滴下にて添加し、この混合物をさらに８時間８０℃に保つ。
【０１９３】
最後に、６．３３ｇ（０．０１ｍｏｌ）の、以下の構造式のアミノ末端を有するポリエーテルである、Ｊｅｆｆａｍｉｎ  ＥＤ  ６００（Huntsman Corp.）
【化５５】
2011518894.tif 000056
（式中、ａ＋ｃ＝３．６であり、ｂ＝９である）
滴下にて添加し、温度を１０時間かけて１２０℃に上昇させる。
【０１９４】
不透明な褐色の液体が得られる。これには、以下の構造要素を有するポリマーが含まれる。
【化５６】
2011518894.tif 000057
【０１９５】
実施例６
Ｎ2雰囲気下にあるフラスコの中で、３．８（０．０１ｍｏｌ）の以下の構造式のポリプロピレングリコールジグリシジルエーテル
【化５７】
2011518894.tif 000058
と２ｇ（０．０２ｍｏｌ）のＮ−メチルピペラジンとを、９０．１ｇのプロピレングリコールモノメチルエーテルに溶解させ、８０時間かけて８℃に加熱する。
【０１９６】
その後、３．８９ｇ（０．０２ｍｏｌ）のグリセロール炭酸塩のクロロ酢酸エステル
【化５８】
2011518894.tif 000059
を滴下にて添加し、この混合物をさらに８時間、８０℃に保つ。
【０１９７】
最後に、４６．２３ｇ（０．０１ｍｏｌ）の以下の構造式のアミノシロキサン
【化５９】
2011518894.tif 000060
を滴下にて添加し、温度を１０時間かけて１２０℃に上昇させる。
【０１９８】
不透明な褐色の液体が得られる。これには、以下の構造要素を有するポリマーが含まれる。
【化６０】
2011518894.tif 000061
【０１９９】
実施例３、４、５、および６で得られた、０．５％〜３％の量の生成物は、陰イオン性および／または非イオン形成性界面活性剤をベースとする粉末および液体の洗濯洗剤に組み入れることができ、これらは実質的に柔らかな感覚を生じる。
【国際調査報告】
2011518894.tif 000072
2011518894.tif 000073
2011518894.tif 000074
2011518894.tif 000075
2011518894.tif 000076
2011518894.tif 000077